(57)【特許請求の範囲】
【請求項１】
ユーザ機器(UE)におけるワイヤレス通信の方法であって、
第1の基地局への第1のエアインターフェース上で第1のサービスのための第1の無線構成を受信するステップと、
第2の基地局への第2のエアインターフェース上で第2のサービスのための第2の無線構成を受信するステップであって、前記第1の無線構成および前記第2の無線構成が、1つまたは複数のデータ無線ベアラおよび少なくとも1つの測定構成を含み、前記第1の無線構成および前記第2の無線構成が、異なるエアインターフェース技術のためのものである、ステップと、
前記第1の無線構成に基づいて、前記第1のエアインターフェースを介して前記第1の基地局に第1の測定報告を送信するステップであって、前記第1の測定報告は、前記第1のエアインターフェースおよび前記第2のエアインターフェースに関する情報を備える、ステップと、
前記送信された第1の測定報告に少なくとも部分的に基づいて、前記第2の基地局への、コアネットワークへの第1の接続のエアインターフェース間ハンドオーバを実施するステップであって、前記第1の接続がサービスのセットに専用であり、前記エアインターフェース間ハンドオーバが、前記第1のエアインターフェースから前記第2のエアインターフェースへのベアラの第1のサブセットのエアインターフェース間ハンドオーバと、前記第1のエアインターフェースによるベアラの第2のサブセットの保持とを含み、前記サービスのセットの第1のサブセットが前記ベアラの第1のサブセットに対応し、前記サービスのセットの第2のサブセットが前記ベアラの第2のサブセットに対応する、ステップと、
を含む、方法。
【請求項２】
前記第1の無線構成が、前記コアネットワークへの前記第1の接続に関連付けられ、前記第2の無線構成が、前記コアネットワークへの第2の接続に関連付けられる、請求項1に記載の方法。
【請求項３】
前記第2の基地局および前記コアネットワークを介した通信の実行と並行して、前記第2の基地局への前記第1の接続のハンドオーバを実行するステップ
をさらに含む、請求項2に記載の方法。
【請求項４】
コアネットワークへの第1のサービス要求メッセージを介して、前記第1の無線構成の確立を開始するステップと、
前記第1の無線構成を介して前記コアネットワークとデータを交換しながら、前記コアネットワークへの第2のサービス要求メッセージを介して、前記第2の無線構成の確立を開始するステップと
をさらに含む、請求項1に記載の方法。
【請求項５】
前記第1のサービス要求メッセージが、第1のサービスタイプ識別子を備え、前記第2のサービス要求メッセージが、第2のサービスタイプ識別子を備える、請求項4に記載の方法。
【請求項６】
前記第2の無線構成に基づいて、前記第2のエアインターフェースを介して前記第2の基地局に第2の測定報告を送信するステップであって、前記第2の測定報告は、前記第1のエアインターフェースに関する情報を含む、ステップ
をさらに含む、請求項1に記載の方法。
【請求項７】
前記第2の無線構成が、前記第2のエアインターフェースのための測定アルゴリズムおよびトリガ条件についての情報を備える、請求項1に記載の方法。
【請求項８】
前記第1の無線構成が、前記第1のエアインターフェースのための第1の測定アルゴリズムおよび第1のトリガ条件に関連付けられた情報を備え、前記第2の無線構成が、前記第2のエアインターフェースのための第2の測定アルゴリズムおよび第2のトリガ条件に関連付けられた情報を備える、請求項7に記載の方法。
【請求項９】
前記第1の無線構成内に示された前記第1の測定アルゴリズムおよび前記第1のトリガ条件と、前記第2の無線構成内に示された前記第2の測定アルゴリズムおよび前記第2のトリガ条件の両方に準拠するステップ
をさらに含む、請求項8に記載の方法。
【請求項１０】
前記第1の無線構成が、前記第1のエアインターフェースと前記第2のエアインターフェースの両方のための測定アルゴリズムおよびトリガ条件に関連付けられた情報を備える、請求項1に記載の方法。
【請求項１１】
前記第1のエアインターフェースまたは前記第2のエアインターフェースを介して、再構成メッセージを受信するステップと、
前記再構成メッセージに少なくとも部分的に基づいて、前記エアインターフェース間ハンドオーバを実施するステップと
をさらに含む、請求項1に記載の方法。
【請求項１２】
前記第1の基地局または前記第2の基地局のうちの少なくとも1つと無線ベアラを確立するステップ
をさらに含む、請求項1に記載の方法。
【請求項１３】
前記第2のエアインターフェースを介して前記第2の基地局とデータを同時に交換しながら、前記第1のエアインターフェースを介して前記第1の基地局と前記無線ベアラを確立するステップ
をさらに含む、請求項12に記載の方法。
【請求項１４】
第1の要求をモビリティ管理エンティティ(MME)に送信するステップであって、前記第1の要求が前記第1のエアインターフェースのタイプを示す、ステップと、第2の要求を前記MMEに送信するステップであって、前記第2の要求が前記第2のエアインターフェースのタイプを示す、ステップと
をさらに含む、請求項1に記載の方法。
【請求項１５】
前記第1の要求および前記第2の要求が、非アクセス層(NAS)サービス要求である、請求項14に記載の方法。
【請求項１６】
前記第1の要求および前記第2の要求が、各々、前記MMEを識別するグローバル一意モビリティ管理エンティティ識別子(GUMMEI)を備える、請求項14に記載の方法。
【請求項１７】
第1のセキュリティキーを使用して、前記第1のエアインターフェースを介した第1のセッションをセキュアにするステップであって、前記第1のセキュリティキーが、セッションキー(Kasme)に基づいて導出される、ステップと、
第2のセキュリティキーを使用して、前記第2のエアインターフェースを介した第2のセッションをセキュアにするステップであって、前記第2のセキュリティキーが、Kasmeに基づいて導出され、前記第1のセキュリティキーおよび前記第2のセキュリティキーが異なる、ステップと
をさらに含む、請求項1に記載の方法。
【請求項１８】
前記第1のエアインターフェースまたは前記第2のエアインターフェースのうちの少なくとも1つにおいて、無線リンク障害(RLF)を検出するステップと、
前記検出されたRLFに少なくとも部分的に基づいて、エアインターフェース間ハンドオーバを実施するステップであって、前記エアインターフェース間ハンドオーバの実施が、前記第1の基地局または前記第2の基地局のうちの少なくとも1つに関連付けられたターゲット基地局情報を提供することを含む、ステップと
をさらに含む、請求項1に記載の方法。
【請求項１９】
前記第1のエアインターフェースを介した第1のセッション、および前記第2のエアインターフェースを介した第2のセッションが、単一のモビリティ管理エンティティ(MME)を使用して確立される、請求項1に記載の方法。
【請求項２０】
前記第1のエアインターフェースを介した第1のセッション、および前記第2のエアインターフェースを介した第2のセッションが、単一のサービングゲートウェイ(S-GW)を使用して確立される、請求項1に記載の方法。
【請求項２１】
前記第1のエアインターフェースが、ロングタームエボリューション(LTE)エアインターフェースであり、前記第2のエアインターフェースが、ミリメートル波エアインターフェースである、請求項1に記載の方法。
【請求項２２】
第1のタイプのサービスが、前記第1のエアインターフェースを介して実行され、第2のタイプのサービスが、前記第2のエアインターフェースを介して同時に実行される、請求項1に記載の方法。
【請求項２３】
ユーザ機器(UE)におけるワイヤレス通信のための装置であって、
第1の基地局への第1のエアインターフェース上で第1のサービスのための第1の無線構成を受信するための手段と、
第2の基地局への第2のエアインターフェース上で第2のサービスのための第2の無線構成を受信するための手段であって、前記第1の無線構成および前記第2の無線構成が、1つまたは複数のデータ無線ベアラおよび少なくとも1つの測定構成を含み、前記第1の無線構成および前記第2の無線構成が、異なるエアインターフェース技術のためのものである、手段と、
前記第1の無線構成に基づいて、前記第1のエアインターフェースを介して前記第1の基地局に第1の測定報告を送信するための手段であって、前記第1の測定報告は、前記第1のエアインターフェースおよび前記第2のエアインターフェースに関する情報を備える、手段と、
前記送信された第1の測定報告に少なくとも部分的に基づいて、前記第2の基地局への、コアネットワークへの第1の接続のエアインターフェース間ハンドオーバを実施するための手段であって、前記第1の接続がサービスのセットに専用であり、前記エアインターフェース間ハンドオーバが、前記第1のエアインターフェースから前記第2のエアインターフェースへのベアラの第1のサブセットのエアインターフェース間ハンドオーバと、前記第1のエアインターフェースによるベアラの第2のサブセットの保持とを含み、前記サービスのセットの第1のサブセットが前記ベアラの第1のサブセットに対応し、前記サービスのセットの第2のサブセットが前記ベアラの第2のサブセットに対応する、手段と、
を備える、装置。
【請求項２４】
前記第1の無線構成が、コアネットワークへの第1の接続に関連付けられ、前記第2の無線構成が、前記コアネットワークへの第2の接続に関連付けられる、請求項23に記載の装置。
【請求項２５】
前記第2の基地局および前記コアネットワークを介した通信の実行と並行して、前記第2の基地局への前記第1の接続のハンドオーバを実行するための手段
をさらに備える、請求項24に記載の装置。
【請求項２６】
コアネットワークへの第1のサービス要求メッセージを介して、前記第1の無線構成の確立を開始するための手段と、
前記第1の無線構成を介して前記コアネットワークとデータを交換しながら、前記コアネットワークへの第2のサービス要求メッセージを介して、前記第2の無線構成の確立を開始するための手段と
をさらに備える、請求項23に記載の装置。
【請求項２７】
前記第1のサービス要求メッセージが、第1のサービスタイプ識別子を備え、前記第2のサービス要求メッセージが、第2のサービスタイプ識別子を備える、請求項26に記載の装置。
【請求項２８】
ユーザ機器(UE)におけるワイヤレス通信のための装置であって、
プロセッサと、
前記プロセッサと電子通信しているメモリと、
前記メモリ内に記憶された命令とを備え、前記命令が、前記プロセッサによって、
第1の基地局への第1のエアインターフェース上で第1のサービスのための第1の無線構成を受信すること、
第2の基地局への第2のエアインターフェース上で第2のサービスのための第2の無線構成を受信することであって、前記第1の無線構成および前記第2の無線構成が、1つまたは複数のデータ無線ベアラおよび少なくとも1つの測定構成を含み、前記第1の無線構成および前記第2の無線構成が、異なるエアインターフェース技術のためのものである、受信すること、
前記第1の無線構成に基づいて、前記第1のエアインターフェースを介して前記第1の基地局に第1の測定報告を送信することであって、前記第1の測定報告は、前記第1のエアインターフェースおよび前記第2のエアインターフェースに関する情報を備える、送信すること、および
前記送信された第1の測定報告に少なくとも部分的に基づいて、前記第2の基地局への、コアネットワークへの第1の接続のエアインターフェース間ハンドオーバを実施することであって、前記第1の接続がサービスのセットに専用であり、前記エアインターフェース間ハンドオーバが、前記第1のエアインターフェースから前記第2のエアインターフェースへのベアラの第1のサブセットのエアインターフェース間ハンドオーバと、前記第1のエアインターフェースによるベアラの第2のサブセットの保持とを含み、前記サービスのセットの第1のサブセットが前記ベアラの第1のサブセットに対応し、前記サービスのセットの第2のサブセットが前記ベアラの第2のサブセットに対応する、実施すること、
を行うために実行可能である、装置。
【請求項２９】
ユーザ機器(UE)におけるワイヤレス通信のためのコードを記憶する非一時的コンピュータ可読記憶媒体であって、前記コードが、
第1の基地局への第1のエアインターフェース上で第1のサービスのための第1の無線構成を受信すること、
第2の基地局への第2のエアインターフェース上で第2のサービスのための第2の無線構成を受信することであって、前記第1の無線構成および前記第2の無線構成が、1つまたは複数のデータ無線ベアラおよび少なくとも1つの測定構成を含み、前記第1の無線構成および前記第2の無線構成が、異なるエアインターフェース技術のためのものである、受信すること、
前記第1の無線構成に基づいて、前記第1のエアインターフェースを介して前記第1の基地局に第1の測定報告を送信することであって、前記第1の測定報告は、前記第1のエアインターフェースおよび前記第2のエアインターフェースに関する情報を備える、送信すること、および
前記送信された第1の測定報告に少なくとも部分的に基づいて、前記第2の基地局への、コアネットワークへの第1の接続のエアインターフェース間ハンドオーバを実施することであって、前記第1の接続がサービスのセットに専用であり、前記エアインターフェース間ハンドオーバが、前記第1のエアインターフェースから前記第2のエアインターフェースへのベアラの第1のサブセットのエアインターフェース間ハンドオーバと、前記第1のエアインターフェースによるベアラの第2のサブセットの保持とを含み、前記サービスのセットの第1のサブセットが前記ベアラの第1のサブセットに対応し、前記サービスのセットの第2のサブセットが前記ベアラの第2のサブセットに対応する、実施すること、
を行うために実行可能な命令を備える、非一時的コンピュータ可読記憶媒体。
【発明の詳細な説明】
【技術分野】
【０００１】
相互参照
本特許出願は、各々が本出願の譲受人に譲渡された、2015年9月24日に出願された「Service-Specific Air-Interface Selection」という名称のHampel他による米国特許出願第14/863,747号、および2014年9月25日に出願された「Service-Specific Air-Interface Selection」という名称のHampel他による米国仮特許出願第62/055,452号の優先権を主張する。
【０００２】
以下は、一般にワイヤレス通信に関し、より詳細には、同時マルチエアインターフェース動作中の無線構成、測定構成、および測定報告の協調に関する。
【背景技術】
【０００３】
以下は、一般にワイヤレス通信に関し、より詳細には、ユーザ機器(UE)とネットワーク機器との間でデータを通信するための、異種無線アクセス技術(RAT)のアグリゲーションまたは結合に関する。ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能な多元接続システムであり得る。そのような多元接続システムの例には、符号分割多元接続(CDMA)システム、時分割多元接続(TDMA)システム、周波数分割多元接続(FDMA)システム、および直交周波数分割多元接続(OFDMA)システムが含まれる。
【０００４】
一般に、ワイヤレス多元接続通信システムは、各々が複数のモバイルデバイスのための通信を同時にサポートする、いくつかの基地局を含み得る。基地局は、ダウンストリームリンクおよびアップストリームリンク上でUEと通信することができる。ワイヤレス多重アクセス通信システムは、システムの特定の必要性に応じて、任意の数の異なる周波数帯域またはワイヤレス通信技術を使用することができる。たとえば、UEは、ネットワークに通信するために、変動する特性をもついくつかの異なるタイプのサービスを有し得る。しかしながら、新しいエアインターフェース技術を導入して、異なるタイプのサービスをサポートするには、新しいコアネットワークの開発が必要になり得る。
【発明の概要】
【課題を解決するための手段】
【０００５】
説明する特徴は、一般に、UEが、既存のコアネットワークの同じモビリティ管理エンティティ(MME)およびサービングゲートウェイ(S-GW)を使用して、複数のエアインターフェース技術においてデータセッションを同時に確立することを可能にするための、1つまたは複数の改善されたシステム、方法、および/または装置に関する。いくつかの例では、UEは、複数のエアインターフェースのためのシグナリング無線ベアラおよびデータ無線ベアラを独立してサポートするための能力を有し得る。結果として、UEは、サービスの変動する特性に基づいて、異なるタイプのサービスのための1つまたは複数のエアインターフェース技術を動的に選択することができる。一例では、第1のサービス(たとえば、ボイスオーバーインターネットプロトコル)は、第1のエアインターフェース(たとえば、LTE)を介した送信のために最適であり得る。他の例では、第2のサービス(たとえば、ウェブブラウジング)は、そのサービスの性質に基づいて、第2のエアインターフェース(たとえば、ミリメートル波)のために適したものであり得る。したがって、本開示によれば、UEは、ミリメートル波(mmW)エアインターフェースを介して第2のサービスを同時に実行しながら、LTEエアインターフェースを介して第1のサービスを実行することができる。
【０００６】
他の例では、UEは、ハンドオーバイベントの検出に基づいて、エアインターフェース間ハンドオーバを実施するように適応され得る。ハンドオーバイベントは、UEから送信された測定報告、および/または無線リンク障害(RLF)のための再確立手順に基づき得る。いくつかの例では、UEが、あるエアインターフェース技術(たとえば、LTE)をサポートする第1の基地局上でRLFに遭遇するとき、UEは、ベアラ固有のポリシー情報に基づいて、異なるエアインターフェース技術(たとえば、ミリメートル波(mmW)エアインターフェース技術)をサポートする第2の基地局への順方向ハンドオーバを実施することができる。他の例では、第1のエアインターフェース技術をサポートする第1の基地局は、第2のエアインターフェース技術をサポートする第2の基地局の信号品質測定値をとるように、UEを構成することができる。
【０００７】
第1の例示的なセットの例では、ユーザ機器(UE)におけるワイヤレス通信の方法を提供する。方法は、第1の基地局への第1のエアインターフェース上で第1のサービスのための第1の無線構成を受信するステップと、第2の基地局への第2のエアインターフェース上で第2のサービスのための第2の無線構成を受信するステップと、第1の無線構成に基づいて、第1のエアインターフェースを介して第1の基地局に第1の測定報告を送信するステップであって、第1の測定報告は、第1のエアインターフェースおよび第2のエアインターフェースのうちの少なくとも1つに関する情報を備える、ステップとを含み得る。
【０００８】
いくつかの態様では、第1の無線構成は、コアネットワークへの第1の接続に関連付けられ、第2の無線構成は、コアネットワークへの第2の接続に関連付けられる。方法は、第2の基地局およびコアネットワークを介した通信の実行と並行して、第2の基地局への第1の接続のハンドオーバを実行するステップを含み得る。方法は、コアネットワークへの第1のサービス要求メッセージを介して、第1の無線構成の確立を開始するステップと、第1の無線構成を介してコアネットワークとデータを交換しながら、コアネットワークへの第2のサービス要求メッセージを介して、第2の無線構成の確立を開始するステップとを含み得る。第1のサービス要求メッセージは、第1のサービスタイプ識別子を含み得、第2のサービス要求メッセージは、第2のサービスタイプ識別子を含み得る。
【０００９】
いくつかの態様では、方法は、第2の無線構成に基づいて、第2のエアインターフェースを介して第2の基地局に第2の測定報告を送信するステップであって、第2の測定報告は、第1のエアインターフェースに関する情報を含む、ステップを含み得る。第2の無線構成は、第2のエアインターフェースのための測定アルゴリズムおよびトリガ条件についての情報を含み得る。第1の無線構成は、第1のエアインターフェースのための第1の測定アルゴリズムおよび第1のトリガ条件に関連付けられた情報を含み得、第2の無線構成は、第2のエアインターフェースのための第2の測定アルゴリズムおよび第2のトリガ条件に関連付けられた情報を含み得る。方法は、第1の無線構成内に示された第1の測定アルゴリズムおよび第1のトリガ条件と、第2の無線構成内に示された第2の測定アルゴリズムおよび第2のトリガ条件の両方に準拠するステップを含み得る。
【００１０】
いくつかの態様では、第1の無線構成は、第1のエアインターフェースと第2のエアインターフェースの両方のための測定アルゴリズムおよびトリガ条件に関連付けられた情報を含み得る。方法は、第1のエアインターフェースまたは第2のエアインターフェースを介して、再構成メッセージを受信するステップと、再構成メッセージに少なくとも部分的に基づいて、エアインターフェース間ハンドオーバを実施するステップとを含み得る。エアインターフェース間ハンドオーバは、第1のエアインターフェースから第2のエアインターフェースへのベアラのサブセットのエアインターフェース間ハンドオーバを含み得る。方法は、第1の基地局または第2の基地局のうちの少なくとも1つと無線ベアラを確立するステップを含み得る。方法は、第2のエアインターフェースを介して第2の基地局とデータを同時に交換しながら、第1のエアインターフェースを介して第1の基地局と無線ベアラを確立するステップを含み得る。
【００１１】
いくつかの態様では、方法は、第1の要求をモビリティ管理エンティティ(MME)に送信するステップであって、第1の要求が第1のエアインターフェースのタイプを示す、ステップと、第2の要求をMMEに送信するステップであって、第2の要求が第2のエアインターフェースのタイプを示す、ステップとを含み得る。第1の要求および第2の要求は、非アクセス層(NAS)サービス要求であり得る。第1の要求および第2の要求は、各々、MMEを識別するグローバル一意モビリティ管理エンティティ識別子(GUMMEI:Globally Unique Mobility Management Entity Identifier)を含み得る。
【００１２】
いくつかの例では、方法は、第1のセキュリティキーを使用して、第1のエアインターフェースを介した第1のセッションをセキュアにするステップであって、第1のセキュリティキーが、セッションキー(Kasme)に基づいて導出される、ステップと、第2のセキュリティキーを使用して、第2のエアインターフェースを介した第2のセッションをセキュアにするステップであって、第2のセキュリティキーが、Kasmeに基づいて導出され、第1のセキュリティキーおよび第2のセキュリティキーが異なる、ステップとを含み得る。方法は、第1のエアインターフェースまたは第2のエアインターフェースのうちの少なくとも1つにおいて、無線リンク障害(RLF)を検出するステップと、検出されたRLFに少なくとも部分的に基づいて、エアインターフェース間ハンドオーバを実施するステップであって、エアインターフェース間ハンドオーバの実施が、第1の基地局または第2の基地局のうちの少なくとも1つに関連付けられたターゲット基地局情報を提供することを含み得る、ステップとを含み得る。
【００１３】
いくつかの態様では、第1のエアインターフェースを介した第1のセッション、および第2のエアインターフェースを介した第2のセッションは、単一のモビリティ管理エンティティ(MME)を使用して確立され得る。第1のエアインターフェースを介した第1のセッション、および第2のエアインターフェースを介した第2のセッションは、単一のサービングゲートウェイ(S-GW)を使用して確立され得る。第1のエアインターフェースは、ロングタームエボリューション(LTE)エアインターフェースであり得、第2のエアインターフェースは、ミリメートル波エアインターフェースであり得る。第1のタイプのサービスは、第1のエアインターフェースを介して実行され得、第2のタイプのサービスは、第2のエアインターフェースを介して同時に実行され得る。
【００１４】
第2の例示的なセットの例では、ユーザ機器(UE)におけるワイヤレス通信のための装置を提供する。装置は、第1の基地局への第1のエアインターフェース上で第1のサービスのための第1の無線構成を受信するための手段と、第2の基地局への第2のエアインターフェース上で第2のサービスのための第2の無線構成を受信するための手段と、第1の無線構成に基づいて、第1のエアインターフェースを介して第1の基地局に第1の測定報告を送信するための手段であって、第1の測定報告は、第1のエアインターフェースおよび第2のエアインターフェースのうちの少なくとも1つに関する情報を備える、手段とを含み得る。
【００１５】
いくつかの態様では、第1の無線構成は、コアネットワークへの第1の接続に関連付けられ得、第2の無線構成は、コアネットワークへの第2の接続に関連付けられ得る。装置は、第2の基地局およびコアネットワークを介した通信の実行と並行して、第2の基地局への第1の接続のハンドオーバを実行するための手段を含み得る。装置は、コアネットワークへの第1のサービス要求メッセージを介して、第1の無線構成の確立を開始するための手段と、第1の無線構成を介してコアネットワークとデータを交換しながら、コアネットワークへの第2のサービス要求メッセージを介して、第2の無線構成の確立を開始するための手段とを含み得る。第1のサービス要求メッセージは、第1のサービスタイプ識別子を含み得、第2のサービス要求メッセージは、第2のサービスタイプ識別子を含み得る。
【００１６】
第3の例示的なセットの例では、ユーザ機器(UE)におけるワイヤレス通信のための装置を提供する。装置は、プロセッサと、プロセッサと電子通信しているメモリと、メモリ内に記憶された命令とを含み得る。命令は、プロセッサによって、第1の基地局への第1のエアインターフェース上で第1のサービスのための第1の無線構成を受信すること、第2の基地局への第2のエアインターフェース上で第2のサービスのための第2の無線構成を受信すること、ならびに、第1の無線構成に基づいて、第1のエアインターフェースを介して第1の基地局に第1の測定報告を送信することであって、第1の測定報告は、第1のエアインターフェースおよび第2のエアインターフェースのうちの少なくとも1つに関する情報を備える、送信することを行うために実行可能である。
【００１７】
第4の例示的なセットの例では、ユーザ機器(UE)におけるワイヤレス通信のためのコードを記憶する非一時的コンピュータ可読媒体を提供する。コードは、第1の基地局への第1のエアインターフェース上で第1のサービスのための第1の無線構成を受信すること、第2の基地局への第2のエアインターフェース上で第2のサービスのための第2の無線構成を受信すること、ならびに、第1の無線構成に基づいて、第1のエアインターフェースを介して第1の基地局に第1の測定報告を送信することであって、第1の測定報告は、第1のエアインターフェースおよび第2のエアインターフェースのうちの少なくとも1つに関する情報を備える、送信することを行うために実行可能な命令を含み得る。
【００１８】
上記では、以下の発明を実施するための形態がよりよく理解され得るように、本開示による例の特徴および技術的利点についてかなり広く概説した。以下で、追加の特徴および利点について説明する。開示する概念および特定の例は、本開示の同じ目的を実行するために他の構造を変更または設計するための基礎として容易に利用され得る。そのような等価な構造は、添付の特許請求の範囲から逸脱しない。本明細書で開示する概念の特性、それらの編成と動作方法の両方は、添付の図とともに検討されると、関連する利点とともに以下の説明からよりよく理解されよう。図の各々は、特許請求の範囲の限界を定めるものとしてではなく、例示および説明のみの目的で与えられる。
【００１９】
本開示の性質および利点のさらなる理解は、以下の図面の参照によって実現され得る。添付の図において、同様の構成要素または特徴は同じ参照ラベルを有し得る。さらに、同じタイプの様々な構成要素は、参照ラベルの後に、ダッシュと、同様の構成要素を区別する第2のラベルとを続けることによって区別され得る。第1の参照ラベルのみが本明細書で使用される場合、説明は、第2の参照ラベルにかかわらず、同じ第1の参照ラベルを有する同様の構成要素のうちのいずれにも適用可能である。
【図面の簡単な説明】
【００２０】
【図１】本開示の様々な態様による、サービス固有のエアインターフェース選択のためのワイヤレス通信システムの一例を示す図である。
【図２】本開示の様々な態様による、サービス固有のエアインターフェース選択のためのワイヤレス通信サブシステムの一例を示す図である。
【図３Ａ】本開示の様々な態様による、サービス固有のエアインターフェース選択の様々な態様の一例を示す図である。
【図３Ｂ】本開示の様々な態様による、サービス固有のエアインターフェース選択の様々な態様の一例を示す図である。
【図３Ｃ】本開示の様々な態様による、サービス固有のエアインターフェース選択の様々な態様の一例を示す図である。
【図３Ｄ】本開示の様々な態様による、サービス固有のエアインターフェース選択の様々な態様の一例を示す図である。
【図３Ｅ】本開示の様々な態様による、サービス固有のエアインターフェース選択の様々な態様の一例を示す図である。
【図３Ｆ】本開示の様々な態様による、サービス固有のエアインターフェース選択の様々な態様の一例を示す図である。
【図４】本開示の様々な態様による、サービス固有のエアインターフェース選択のために構成されたユーザ機器(UE)のブロック図である。
【図５】本開示の様々な態様による、サービス固有のエアインターフェース選択のために構成されたUEのブロック図である。
【図６】本開示の様々な態様による、サービス固有のエアインターフェース選択のために構成された通信管理モジュールのブロック図である。
【図７】本開示の様々な態様による、サービス固有のエアインターフェース選択のために構成されたUEを含むシステムのブロック図である。
【図８】本開示の様々な態様による、サービス固有のエアインターフェース選択のために構成された基地局のブロック図である。
【図９】本開示の様々な態様による、サービス固有のエアインターフェース選択のために構成された基地局通信管理モジュールのブロック図である。
【図１０】本開示の様々な態様による、サービス固有のエアインターフェース選択のために構成された基地局のブロック図である。
【図１１】本開示の様々な態様による、サービス固有のエアインターフェース選択のために構成された基地局を含むシステムのブロック図である。
【図１２】本開示の様々な態様による、サービス固有のエアインターフェース選択のための方法を示すフローチャートである。
【図１３】本開示の様々な態様による、サービス固有のエアインターフェース選択のための方法を示すフローチャートである。
【図１４】本開示の様々な態様による、サービス固有のエアインターフェース選択のための方法を示すフローチャートである。
【図１５】本開示の様々な態様による、サービス固有のエアインターフェース選択のための方法を示すフローチャートである。
【図１６】本開示の様々な態様による、同時マルチエアインターフェース動作のための測定構成と測定報告とを協調させるための方法を示すフローチャートである。
【図１７】本開示の様々な態様による、同時マルチエアインターフェース動作のための測定構成と測定報告とを協調させるための方法を示すフローチャートである。
【図１８】本開示の様々な態様による、サービス固有のエアインターフェース選択のための方法を示すフローチャートである。
【発明を実施するための形態】
【００２１】
説明する特徴は、一般にサービス固有のエアインターフェース選択のための改善されたシステム、方法、および/または装置に関する。たとえば、本開示で説明する技法は、UEが、モビリティ管理エンティティ(MME)およびサービングゲートウェイ(S-GW)など、同じコアネットワーク機能を使用して、複数のエアインターフェース技術上でデータセッションをサポートする複数のデータ接続を同時に確立することを可能にすることができる。いくつかの例では、UEは、複数のエアインターフェースのための無線構成を独立してサポートするための能力を有し得、その場合、各無線構成は、1つまたは複数のデータ無線ベアラを含み得、測定構成を含み得る。結果として、UEは、サービスの変動する特性に基づいて、異なるタイプのサービスのための1つまたは複数のエアインターフェース技術の間で動的に選択することができる。一例では、第1のサービス(たとえば、ボイスオーバーインターネットプロトコル、VOIP)は、第1のエアインターフェース(たとえば、LTE)を介した送信のために最適であり得る。他の例では、第2のサービス(たとえば、ウェブブラウジング)は、サービスの性質に基づいて、第2または第3のエアインターフェース(たとえば、ミリメートル波(mmW)またはWi-Fi)のために適したものであり得る。したがって、本発明によれば、UEは、ミリメートル波(mmW)またはWi-Fiエアインターフェースを介して第2のサービスを同時に実行しながら、LTEエアインターフェースを介して第1のサービスを実行することができる。
【００２２】
無線構成ごとの測定構成に基づいて、UEは、測定を実施し、トリガイベントを決定し、無線構成ごとにネットワークに測定報告を送ることができる。いくつかの例では、第1のエアインターフェース技術(たとえば、LTE)をサポートする第1の基地局(BS)は、第2のエアインターフェース技術(たとえば、mmW)上の信号品質測定値に基づいてBSを報告するように、UEを構成することができる。
【００２３】
別の例では、UEとの第1の無線構成をサポートする第1のBSは、第1のエアインターフェース技術および第2のエアインターフェース技術上の信号品質測定値に基づいてBSを報告するように、UEを構成することができるが、UEとの同時の第2の無線構成をサポートする第2のBSは、第3のエアインターフェース上の信号品質測定値に基づいてBSを報告するように、UEを構成することができる。第3のエアインターフェース技術は、第1のエアインターフェース技術および第2のエアインターフェース技術のうちの1つと等しくなり得る。
【００２４】
いくつかの例では、UEは、無線構成固有の測定報告に基づいて、サービス固有のハンドオーバを実施するように適応され得る。サービス固有のハンドオーバは、第1のエアインターフェースを使用する第1のBSから選択されたサービスのセットをサポートする第1の無線構成を、第1のエアインターフェースまたは第2のエアインターフェースを使用する第2のBSに移行させる。UEは、第3のエアインターフェースを使用する第3のBSとの第2の無線構成上で他のサービスを実行し続けることができる。たとえば、ある無線構成上のVoIPサービスは、LTEマクロセル上で実行するままであり得るが、別の無線構成を使用するベストエフォートファイル交換サービスは、複数のmmWおよびWi-Fiピコセル間で移行される。ピコセルカバレージエリアの境界に到達するとき、ベストエフォートファイル交換サービスもまた、LTEに移行され得る。
【００２５】
他の無線リンクが依然としてアクティブである間に、第1の無線構成を持続させる無線リンクが無線リンク障害(RLF)に遭遇する一例では、UEは、損失リンクの無線構成に関する測定構成によって与えられたターゲットBSとエアインターフェースとを使用して、損失無線構成のための接続再確立手順を実施することができる。
【００２６】
いくつかの例では、UEは、第1の無線構成を介してコアネットワークとの第1の接続をサポートし、第2の無線構成を介してコアネットワークとの第2の接続を同時にサポートすることができる。第1の接続は、第1のサービスのセットをサポートすることに専用であり得るが、第2の接続は、第2のサービスのセットをサポートすることに専用であり得る。UEは、コアネットワークへの第1のサービス要求を使用して、第1の接続と第1の無線構成とを確立し、コアネットワークへの連続した第2のサービス要求を使用して、第2の接続と第2の無線構成とを確立することができる。UEは、第1のサービス要求のための第1のエアインターフェースと、第2のサービス要求のための第2のエアインターフェースとを選択することができる。UEは、たとえば、様々なサービスのためのエアインターフェース選択優先度を識別するポリシーテーブルに基づいて、この選択を適用することができる。UEは、接続のうちのいずれかを、プロアクティブに(たとえば、独立して)、またはネットワークから受信されたページングメッセージに基づいて確立することができる。たとえば、UEは、第1の接続上で第1のサービスをサポートするシグナリングチャネル上で、第2のサービスのためのページングメッセージを受信することができる。
【００２７】
説明する異なるサービスのための独立した接続、無線構成、および測定構成の利用は、サービス固有のエアインターフェース選択のための改善されたシステム、方法、および/または装置を提供することができる。たとえば、説明する技法は、各サービスの特性(たとえば、サービス固有の待ち時間、スループット、ジッタなど)にとって最適化され得る、エアインターフェースの選択およびBSを提供する。説明する技法は、適切なエアインターフェース上で急速に発生し得るサービスのためのサービスランプアップを提供する。
【００２８】
以下の説明は、例を提供し、特許請求の範囲に記載の範囲、適用性、または例を限定するものではない。本開示の範囲から逸脱することなく、論じられる要素の機能および構成において変更が行われてもよい。様々な例は、適宜に、様々な手順または構成要素を省略、置換、または追加し得る。たとえば、説明する方法は、説明する順序とは異なる順序で実行され得、様々なステップが追加、省略、または組み合わされ得る。また、いくつかの例に関して説明する特徴は、他の例において組み合わされてもよい。
【００２９】
最初に図1を参照すると、図は、ワイヤレス通信システム100の一例を示す。ワイヤレス通信システム100は、基地局ネットワーク機器105と、通信ユーザ機器(UE)115と、コアネットワーク130とを含み得る。基地局ネットワーク機器105は、UE115と通信するためのいくつかのセルをサポートすることができ、コアネットワーク130に結合され得る。基地局ネットワーク機器105は、バックホールリンク132を通して、コアネットワーク130と制御情報および/またはユーザデータを通信することができる。実施形態では、基地局ネットワーク機器105は、ワイヤード通信リンクまたはワイヤレス通信リンクであり得るバックホールリンク134を介して、直接にまたは間接的に、互いに通信することができる。ワイヤレス通信システム100は、複数のキャリア(異なる周波数の波形信号)上での動作をサポートし得る。マルチキャリア送信機は、被変調信号を複数のキャリア上で同時に送信することができる。たとえば、各通信リンク125は、上記で説明した様々な無線技術に従って変調されたマルチキャリア信号であり得る。各被変調信号は、異なるキャリア上で送られ得、制御情報(たとえば、基準信号、制御チャネルなど)、オーバーヘッド情報、データなどを搬送することができる。
【００３０】
基地局ネットワーク機器105および/または基地局ネットワーク機器140は、1つまたは複数の基地局アンテナを介して、UE115とワイヤレス通信することができる。基地局ネットワーク機器105または140サイトの各々は、それぞれの地理的カバレージエリア110に通信カバレージを提供することができる。いくつかの実施形態では、基地局ネットワーク機器105は、単に基地局、トランシーバ基地局、無線基地局、アクセスポイント、無線トランシーバ、基本サービスセット(BSS)、拡張サービスセット(ESS)、ノードB、eノードB(eNB)、ホームノードB、ホームeノードB、または何らかの他の好適な用語で呼ばれることがある。基地局ネットワーク機器のための地理的カバレージエリア110は、カバレージエリアの一部分のみを構成するセクタ(図示せず)に分割され得る。ワイヤレス通信システム100は、異なるタイプの基地局ネットワーク機器105(たとえば、マクロ基地局、マイクロ基地局、および/またはピコ基地局)を含み得る。いくつかの例では、ワイヤレス通信システム100は、異なるタイプのエアインターフェース(たとえば、mmW)をサポートする基地局ネットワーク機器140を追加として含み得る。異なる技術のためのカバレージエリアが重なる場合がある。
【００３１】
実施形態では、ワイヤレス通信システム100は、LTE/LTE-Aネットワークであり得る。LTE/LTE-Aネットワークでは、発展型ノードB(eNB)およびユーザ機器(UE)という用語は、一般に、それぞれ基地局ネットワーク機器105およびモバイルデバイスについて説明するために使用され得る。ワイヤレス通信システム100は、異なるタイプのeNBが様々な地理的領域のためのカバレージを提供するヘテロジニアスLTE/LTE-Aネットワークであり得る。たとえば、各基地局ネットワーク機器105は、マクロセル、ピコセル、フェムトセル、および/または他のタイプのセルもしくは電力分類として動作することができる。マクロセルは、一般に、比較的大きい地理的エリア(たとえば、半径数キロメートル)をカバーし、ネットワークプロバイダのサービスに加入しているUEによる無制限アクセスを可能にすることができる。ピコセルは、一般に、比較的小さい地理的エリアをカバーすることになり、ネットワークプロバイダのサービスに加入しているUEによる無制限アクセスを可能にすることができる。フェムトセルも、一般に、比較的小さい地理的エリア(たとえば、自宅)をカバーすることになり、フェムトセルとの関連付けを有するUE(たとえば、限定加入者グループ(CSG)内のUE、自宅内のユーザ用のUEなど)に制限付きアクセス、オープンアクセス、またはハイブリッドアクセスを提供することができる。マクロセル用のeNBは、マクロeNBと呼ばれることがある。ピコセル用のeNBは、ピコeNBと呼ばれることがある。そして、フェムトセル用のeNBは、フェムトeNBまたはホームeNBと呼ばれることがある。eNBは、1つまたは複数(たとえば、2つ、3つ、4つなど)のセルをサポートすることができる。
【００３２】
マクロセルは、一般に、比較的大きい地理的エリア(たとえば、半径数キロメートル)をカバーし、ネットワークプロバイダのサービスに加入しているUEによる無制限アクセスを可能にすることができる。スモールセルは、マクロセルと比較すると、マクロセルと同じまたはマクロセルとは異なる(たとえば、認可、無認可など)周波数帯域で動作し得る低電力基地局である。スモールセルは、様々な例によるピコセル、フェムトセル、およびマイクロセルを含み得る。ピコセルは、比較的小さい地理的エリアをカバーすることができ、ネットワークプロバイダのサービスに加入しているUEによる無制限アクセスを可能にすることができる。フェムトセルも、比較的小さい地理的エリア(たとえば、自宅)をカバーすることができ、フェムトセルとの関連付けを有するUE(たとえば、限定加入者グループ(CSG)内のUE、自宅内のユーザ用のUEなど)による制限付きアクセスを提供することができる。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセル(たとえば、コンポーネントキャリア)をサポートすることができる。
【００３３】
ワイヤレス通信システム100は、同期動作または非同期動作をサポートすることができる。同期動作では、基地局は、同様のフレームタイミングを有し得、異なる基地局からの送信は、時間的にほぼ整合され得る。非同期動作では、基地局は、異なるフレームタイミングを有し得、異なる基地局からの送信は、時間的に整合されない場合がある。本明細書で説明する技法は、同期動作または非同期動作のいずれかのために使用され得る。
【００３４】
開示する様々な例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル(PDCP)レイヤにおける通信は、IPベースであり得る。無線リンク制御(RLC)レイヤは、論理チャネルを介して通信するために、パケットセグメンテーションとリアセンブリとを実行することができる。媒体アクセス制御(MAC)レイヤは、優先度処理と、トランスポートチャネルへの論理チャネルの多重化とを実行することができる。MACレイヤはまた、MACレイヤにおける再送信を行ってリンク効率を改善するために、ハイブリッド自動再送要求(HARQ)を使用することもできる。制御プレーンでは、無線リソース制御(RRC)プロトコルレイヤは、UE115と基地局105との間のRRC接続の確立、構成、および維持を提供することができる。RRCプロトコルレイヤはまた、ユーザプレーンデータのための無線ベアラのコアネットワーク130サポートのためにも使用され得る。物理(PHY)レイヤでは、トランスポートチャネルは、物理チャネルにマッピングされ得る。
【００３５】
UE115は、ワイヤレス通信システム100全体にわたって分散され得、各UE115は固定またはモバイルであり得る。UE115はまた、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、もしくは何らかの他の好適な用語を含むことがあり、または当業者によってそのように呼ばれることがある。UE115は、セルラーフォン、携帯情報端末(PDA)、ワイヤレスモデム、ワイヤレス通信デバイス、ハンドヘルドデバイス、タブレットコンピュータ、ラップトップコンピュータ、コードレスフォン、ワイヤレスローカルループ(WLL)局などであり得る。UEは、マクロeNB、スモールセルeNB、中継基地局などを含む、様々なタイプの基地局およびネットワーク機器と通信できる場合がある。
【００３６】
ワイヤレス通信システム100内に示される通信リンク125は、UE115から基地局105へのアップリンク(UL)送信、および/または基地局105からUE115へのダウンリンク(DL)送信を含み得る。ダウンリンク送信は順方向リンク送信と呼ばれることもあり、一方、アップリンク送信は逆方向リンク送信と呼ばれることもある。各通信リンク125は、1つまたは複数のキャリアを含んでよく、各キャリアは、上記で説明した様々な無線技術に従って変調される複数のサブキャリア(たとえば、異なる周波数の波形信号)から構成される信号であり得る。各被変調信号は、異なるサブキャリア上で送られ得、制御情報(たとえば、基準信号、制御チャネルなど)、オーバーヘッド情報、ユーザデータなどを搬送することができる。通信リンク125は、周波数分割複信(FDD)動作(たとえば、対スペクトルリソースを使用する)または時分割複信(TDD)動作(たとえば、不対スペクトルリソースを使用する)を使用して、双方向通信を送信することができる。FDD(たとえば、フレーム構造タイプ1)およびTDD(たとえば、フレーム構造タイプ2)に対するフレーム構造が、定義され得る。
【００３７】
システム100のいくつかの実施形態では、基地局105および/またはUE115は、アンテナダイバーシティ方式を採用して基地局105とUE115との間の通信品質および信頼性を改善するための複数のアンテナを含み得る。追加または代替として、基地局105および/またはUE115は、同じまたは異なるコード化データを搬送する複数の空間レイヤを送信するためにマルチパス環境を利用し得る多入力多出力(MIMO)技法を採用し得る。
【００３８】
ワイヤレス通信システム100は、複数のセルまたはキャリア上の動作をサポートし得、この機能は、キャリアアグリゲーション(CA)またはマルチキャリア動作と呼ばれることがある。キャリアはまた、コンポーネントキャリア(CC)、レイヤ、チャネルなどと呼ばれることがある。「キャリア」、「コンポーネントキャリア」、「セル」、および「チャネル」という用語は、本明細書で互換的に使用され得る。UE115は、キャリアアグリゲーションのための複数のダウンリンクCCおよび1つまたは複数のアップリンクCCとともに構成され得る。キャリアアグリゲーションは、FDDコンポーネントキャリアとTDDコンポーネントキャリアの両方とともに使用され得る。
【００３９】
いくつかの例では、ワイヤレス通信システム100は、700MHzから2600MHz(2.6GHz)までの周波数帯域を使用する極超短波(UHF)領域内で動作することができるが、場合によっては、WLANネットワークは、4GHzほどの高周波数を使用することができる。この領域は、デシメートル帯域として知られることもあり、その理由は、波長が約1デシメートルから1メートルの長さに及ぶからである。UHF波は、主に見通し線によって伝搬することができ、ビルおよび環境的な特徴によってブロックされ得る。しかしながら、波は、屋内に位置するUE115にサービスを提供するために十分に壁を貫通することができる。UHF波の送信は、スペクトルの高周波(HF)または超高周波(VHF)部のより小さい周波数(および、より長い波)を使用する送信と比較して、より小型のアンテナおよびより短距離(たとえば、100km未満)によって特徴付けられる。場合によっては、ワイヤレス通信システム100はまた、スペクトルの極高周波(EHF)部(たとえば、30GHzから300GHzまで)を利用することもできる。この領域は、ミリメートル帯域として知られることもあり、その理由は、波長が約1ミリメートルから1センチメートルの長さに及ぶからである。したがって、EHFアンテナは、UHFアンテナよりもさらに小型であり、より間隔が密であり得る。場合によっては、これによって、(たとえば、指向性ビームフォーミングのための)UE115内のアンテナアレイの使用が容易になり得る。しかしながら、EHF送信は、UHF送信よりもさらに大きい大気減衰およびより短距離を受けることがある。
【００４０】
いくつかの例では、異種の無線アクセス技術(RAT)がワイヤレス通信システム内で利用可能であり得、UE115が、異なるエアインターフェース技術(たとえば、LTEおよび/またはmmW)のアグリゲーションを介して、コアネットワーク130にアクセスすることができるようになる。たとえば、ワイヤレス通信システム100の第1の基地局ネットワーク機器105-aは、LTE eNB要素などの広帯域通信を含み得る。追加または代替として、ワイヤレス通信システム100内で動作する第2の基地局ネットワーク機器140-aは、mmWアクセス要素などの狭帯域通信を代替的にサポートすることができる。本出願の開示がエアインターフェースの特定のサブセット(すなわち、広帯域または狭帯域エアインターフェース)に限定されないことを、当業者には理解されたい。代わりに、本開示は、データ通信を確立するために利用可能な任意の数のエアインターフェースタイプのために採用され得る。追加または代替の例では、LTE eNB要素およびmmWアクセスポイント要素は、第1の基地局ネットワーク機器105-aおよび/または第2の基地局ネットワーク機器140-aにおいてコロケートされ得る。したがって、いくつかの例では、UE115-aは、コアネットワーク130に接続するために複数のエアインターフェース技術上でベアラを同時に実行するように構成され得、特定のサービスの特性によって決まるエアインターフェース技術を選択することができる。
【００４１】
基地局105および/または140は、S1インターフェースによってコアネットワーク130に接続され得る。コアネットワークは、発展型パケットコア(EPC)であり得、発展型パケットコア(EPC)は、少なくとも1つのモビリティ管理エンティティ(MME)と、少なくとも1つのサービングゲートウェイ(S-GW)と、少なくとも1つのパケットデータネットワーク(PDN)ゲートウェイ(P-GW)とを含み得る。MMEは、UE115と発展型パケットコア(EPC)との間のシグナリングを処理する制御ノードであり得る。すべてのユーザIPパケットは、それ自体がP-GWに接続され得るS-GWを通して転送され得る。P-GWは、IPアドレス割振りならびに他の機能を提供することができる。P-GWは、ネットワーク事業者のIPサービスに接続され得る。事業者のIPサービスは、インターネット、イントラネット、IPマルチメディアサブシステム(IMS)、およびパケット交換(PS)ストリーミングサービス(PSS)を含み得る。
【００４２】
場合によっては、UE115は、サービング基地局105(ソース基地局として知られる)から別の基地局105(ターゲット基地局として知られる)に転送され得る。たとえば、UE115は、ターゲット基地局105のカバレージエリアへと移動中であり得、または、ターゲット基地局105は、UE115のためのより良いサービスを提供すること、もしくはソース基地局105の過剰な負荷を軽減することが可能であり得る。この移行は「ハンドオーバ」と呼ばれることがある。ハンドオーバより前に、ソース基地局105は、近隣基地局105の信号品質を測定するための手順を用いて、UE115を構成することができる。次いで、UE115は、測定報告で応答することができる。ソース基地局105は、測定報告を使用して、ハンドオーバ決定を行うことができる。この決定はまた、ネットワーク負荷および干渉軽減など、無線リソース管理(RRM)ファクタに基づき得る。ハンドオーバ決定が行われるとき、ソース基地局105は、ハンドオーバ要求メッセージをターゲット基地局105に送ることができ、ハンドオーバ要求メッセージは、UE115にサービスするようにターゲット基地局105を準備するためのコンテキスト情報を含み得る。ターゲット基地局105は、たとえば、UE115のサービス品質(QoS)規格を満たすことができることを保証するために、承認制御決定を行うことができる。次いで、ターゲット基地局105は、入ってくるUE115のためのリソースを構成し、ハンドオーバ要求肯定応答メッセージをソース基地局105に送ることができ、ハンドオーバ要求肯定応答メッセージは、UE115に伝えられるべきRRC情報を含み得る。次いで、ソース基地局105は、ハンドオーバを実行するようにUE115に指示し、パケットデータコンバージェンスプロトコル(PDCP)ベアラステータス情報とともに、ステータス転送メッセージをターゲット基地局に渡すことができる。UE115は、ランダムアクセスチャネル(RACH)手順を介して、ターゲット基地局にアタッチすることができる。
【００４３】
MMEは、制御情報をUE115と交換するためのキーネットワークノードであり得る。たとえば、MMEは、ネットワーク接続アクティブ化/非アクティブ化プロセスに関与することがあり、また、ホーム加入者サーバ(HSS)と協調してユーザを認証することに関与することもある。通信セッションの確立のため、およびUE115が移動するときにUE115との連続的通信を維持するために使用され得る、非アクセス層(NAS)シグナリングが、開始され、かつ/またはMMEに向けられ得る。MMEはまた、一時的アイデンティティをUE115に割り振ることもできる。たとえば、MMEは、MMEのための識別情報ならびにUE115のための一時的アイデンティティを含むグローバル一意一時アイデンティティ(GUTI:globally unique temporary identity)を、UE115に割り振ることができる。GUTIは、永続的アイデンティティ、たとえば、国際モバイル加入者アイデンティティ(IMSI)がネットワーク内で送信される頻度を最小限に抑えることができる。MMEはまた、UE115がサービスプロバイダのパブリックランドモバイルネットワーク(PLMN)にキャンプオンすることを認可されるか否かをチェックすることもでき、UE115のためのアタッチメント手順など、非アクセス層(NAS)シグナリングのためのセキュリティキーを管理することができ、セキュリティキー管理を扱う。
【００４４】
場合によっては、UE115は、無線リンクが障害を起こしたと決定し、無線リンク障害(RLF)手順を開始することができる。たとえば、RLF手順は、最大数の再送信に達したというRLC指示において、最大数の同期外れ指示の受信時に、またはRACH手順中の無線障害時にトリガされ得る。場合によっては(たとえば、同期外れ指示の限界に達した後)、UE115は、タイマーを開始させ、しきい値数の同期指示が受信されるか否かを決定するために待機することができる。タイマーの満了より前に、同期指示の数がしきい値を超える場合、UE115は、RLF手順をアボートすることができる。さもなければ、UE115は、RACH手順を実行して、ネットワークへのアクセスを回復することができる。RACH手順は、セル無線ネットワーク一時アイデンティティ(C-RNTI:cell radio network temporary identity)と、セル識別情報(ID)と、セキュリティ検証情報と、再確立の原因とを含む、RRC接続再確立要求を送信することを含み得る。その要求を受信する基地局105は、RRC接続再確立メッセージまたはRRC接続再確立拒否のいずれかで応答することができる。RRC接続再確立メッセージは、UE115のためのシグナリング無線ベアラ(SRB)を確立するためのパラメータ、ならびにセキュリティキーを生成するための情報を含み得る。UE115がRRC接続確立メッセージを受信すると、UE115は、新しいSRB構成を実装し、RRC接続再確立完了メッセージを基地局105に送信することができる。
【００４５】
次に図2を参照すると、ワイヤレス通信システム200の図が示されている。ワイヤレス通信システム200は、UE115-bと、LTE基地局ネットワーク機器105-bと、mmW基地局ネットワーク機器140-bと、発展型パケットコア(EPC)130-aと、IPネットワーク245(たとえば、インターネット、および/またはセルラープロバイダに関連付けられたIPネットワーク)とを含み得る。UE115-b、LTE基地局ネットワーク機器105-b、mmW基地局ネットワーク機器140-b、およびEPC130-aは、図1のUE115、基地局ネットワーク機器105、基地局ネットワーク機器140、およびコアネットワーク130のそれぞれの例であり得る。
【００４６】
UE115-bは、第1のエアインターフェースを使用して、LTE基地局ネットワーク機器105-bと通信することができる。追加または代替として、UE115-bはまた、第2のエアインターフェースを使用して、mmW基地局ネットワーク機器140-bと同時に通信することもできる。LTE基地局105-bおよびmmW基地局140-bは、異なるRATのためのキャリアのアグリゲーションを使用して、発展型パケットコア130-aへのアクセスをUE115-bに提供することが可能であり得る。発展型パケットコア130-aは、3GPP団体によって規格化された発展型パケットシステム(EPS)アーキテクチャによって定義されているように、モビリティ管理エンティティ205と、ホーム加入者サーバ(HSS)210と、サービングゲートウェイ(SGW)215と、パケットデータネットワーク(PDN)ゲートウェイ(PDN-GW)220とを含み得る。いくつかの例では、これらのノードの1つまたは複数は、同じデバイスによって実装され得る。
【００４７】
MME205は、UE115-bとEPC130-aとの間のシグナリングを処理する制御ノードであり得る。一般に、MME205は、ベアラおよび接続管理を提供することができる。したがって、MME205は、アイドルモードUE追跡およびページング、ベアラアクティブ化および非アクティブ化、ならびにUE115-bのためのSGW選択を担当することができる。MME205は、S1-MMEインターフェースを介して、LTE基地局105-bおよびmmW基地局140-bと通信することができる。MME205は、追加として、UE115-bを認証し、UE115-bとの非アクセス層(NAS)シグナリングを実施することができる。本開示のいくつかの例では、MME205は、ベアラコンテキストNASをUE115-bに送信することができる。
【００４８】
HSS210は、機能の中でも、加入者データを記憶し、ローミング制限を管理し、加入者のためのアクセス可能なアクセスポイント名(APN)を管理し、加入者をMME205に関連付けることができる。HSSは、3GPP団体によって規格化された発展型パケットシステム(EPS)アーキテクチャによって定義されたS6aインターフェースを介して、MMEと通信することができる。
【００４９】
LTE基地局105-bおよびmmW基地局140-bを介して送信されたすべてのユーザIPパケットは、SGW215を通して転送され得、SGW215は、S5シグナリングインターフェースを介してPDN-GW220に、およびS11シグナリングインターフェースを介してMME205に接続され得る。SGW215は、ユーザプレーン内に存在し、エアインターフェース間ハンドオーバおよび異なるアクセス技術間のハンドオーバのためのモビリティアンカーとして機能することができる。PDN-GW220は、UEのIPアドレス割振りならびに他の機能を提供することができる。
【００５０】
PDN-GW220は、SGiシグナリングインターフェースを介して、IPネットワーク245など、1つまたは複数の外部パケットデータネットワークへの接続性を提供することができる。IPネットワーク245は、インターネット、イントラネット、IPマルチメディアサブシステム(IMS)、パケット交換(PS)ストリーミングサービス(PSS)、および/または他のタイプのPDNを含み得る。
【００５１】
本例では、UE115-bは、各エアインターフェース(たとえば、mmWおよびLTE)のためのシグナリング無線ベアラおよびデータ無線ベアラを独立してサポートすることができる。一例では、UE115-bは、NASサービス要求をMME205に送信することができる。NASサービス要求メッセージは、UE115-bによってサポートされた少なくとも1つのエアインターフェースタイプを示す識別子を含み得る。追加または代替として、LTE基地局105-bおよび/またはmmW基地局140-bは、NASサービス要求をMME205に搬送することができるS1コンテナ内に、エアインターフェースタイプを含めることができる。NASサービス要求の受信によって、MME205が、発展型パケットシステム(EPS)ベアラポリシーに従って許可され得るUE115-bのためのS1ベアラのみを構成することが可能になり得る。いくつかの例では、EPSベアラは、2つのエンドポイント(たとえば、UE115-bと、SGW215またはPDN-GW220と)の間でいかなるトラフィックが送信され得る前にも、それらのエンドポイント間で仮想接続またはトンネルを必要とし得る、接続指向送信ネットワークであり得る。
【００５２】
他の例では、LTE基地局105-bおよび/またはmmW基地局140-bは、初期コンテキストセットアップ要求(ICSR:Initial Context Setup Request)メッセージをMME205から受信して、EPSベアラポリシーに準拠し得るS1ベアラおよび無線ベアラを確立することができる。MME205からのICSRメッセージの受信に基づいて、LTE基地局105-bおよび/またはmmW基地局140-bのうちの少なくとも1つは、UE115-bとの無線ベアラ確立を実施することができる。
【００５３】
本開示によれば、UE115-bは、第1のエアインターフェースおよび第2のエアインターフェースの各々において独立してNASサービス要求を送信することができる。いくつかの例では、NASサービス要求は、同じMME205に向けられて並行して送られ得る。この時点まで、UE115-bは、MME205を識別することができる、同じグローバル一意モビリティ管理エンティティ識別子(GUMMEI:Globally Unique Mobility Management Entity Identifier)を、両方のNASサービス要求内に挿入することができる。いくつかの例では、利用可能なエアインターフェースの各々を介して送信された各NASサービス要求は、それぞれのエアインターフェース技術タイプを識別するパラメータを含み得る。結果として、MMEは、S1ベアラを、それらのベアラのポリシーに部分的に基づいて、識別されたエアインターフェースの各々においてセットアップすることができる。他の例では、UE115-bは、第2のエアインターフェースタイプの別の基地局とデータを交換しながら、第1のエアインターフェースタイプのある基地局とともに、あるエアインターフェース技術において無線ベアラを確立することができる。また別の例では、UE115-bは同時に、第1の基地局と、第1のエアインターフェース(たとえば、LTE)を使用して、あるベアラのセットにおいてデータを交換し、第2の基地局と、第2のエアインターフェースを使用して、別のベアラのセットにおいてデータを交換することができる。本開示のいくつかの例では、複数のエアインターフェース上で使用されるセキュリティキーは、異なり得る。しかしながら、いくつかの事例では、各セキュリティキーは、同じセッションキー、たとえば、Kasmeから導出され得る。追加または代替として、第1のエアインターフェースおよび第2のエアインターフェースの各々のためのセキュリティキーは、異なるネクストホップ値に基づき得る。
【００５４】
いくつかの例では、第1のエアインターフェースおよび/または第2のエアインターフェースをサポートする基地局(たとえば、eNBまたはmmW)のうちの少なくとも一方または両方は、測定構成メッセージをUE115-bに送信することによって、eNB105-bとmmW基地局140-bの両方のための信号品質測定を実行するように、UE115-bを構成することができる。いくつかの事例では、基地局は、複数のエアインターフェース技術のための測定アルゴリズムおよびトリガ条件についての情報を提供することができる。UE115-bは、測定構成メッセージを受信すると、複数のエアインターフェースのための信号品質測定値を計算することができる。たとえば、UE115-bは、eNB105-bから、測定構成メッセージを受信すると、UE115-bとmmW基地局140-bとの間の信号品質を測定することに加えて、UE115-bとeNB105-bとの間の信号品質を測定することができる。したがって、UE115-bは、少なくとも1つの基地局105-bおよび/または140-bから測定構成メッセージを受信することに基づいて、複数のエアインターフェースのための信号品質測定を実施することができる。
【００５５】
本開示によれば、UE115-bは、周期的に、またはトリガ条件の検出時のいずれかで、測定報告を各基地局105-bおよび/または140-bに送ることができる。各基地局に送信された測定報告は、UE115-bが接続され得る先のすべての基地局に関する情報を含み得る。いくつかの例では、情報は、第1のエアインターフェースタイプ(たとえば、LTE)の第1の基地局105-bに関連付けられた第1のチャネル品質インジケータ(CQI)と、第2のエアインターフェースタイプ(たとえば、mmW)の第2の基地局140-bに関連付けられた第2のCQIとを含み得る。UE115-bは、第1のCQIと第2のCQIの両方を第1の基地局105-bおよび第2の基地局140-bに送信することができる。したがって、異なるエアインターフェースタイプの複数の基地局に関連付けられた測定報告を送信することで、受信する基地局がエアインターフェース間のベアラハンドオーバを開始できることを保証することができる。
【００５６】
次に図3Aおよび図3Bを参照すると、それぞれハンドオーバイベントの前および後のワイヤレス通信システム300および300の図が示されている。ワイヤレス通信システム300は、UE115-cと、第1のエアインターフェースタイプのLTE基地局105-cと、第2のエアインターフェースタイプのmmW基地局ネットワーク機器140-cと、コアネットワーク130-bとを含み得る。UE115-cは、図1および図2に関して上記で説明したUE115のうちの1つまたは複数の一例であり得る。LTE基地局105-cは、前の図1および図2に関して上記で説明した基地局ネットワーク機器105のうちの1つまたは複数の例であり得る。mmW基地局140-cは、前の図1および図2に関して上記で説明したmmW基地局ネットワーク機器140のうちの1つまたは複数の例であり得る。コアネットワーク130-bは、図1および図2に関して上記で説明したコアネットワーク130のうちの1つまたは複数の一例であり得る。
【００５７】
概して、図3A〜図3Fは、本開示の様々な態様による、サービス固有のエアインターフェース選択300の様々な態様の例を示す。最初に図3Aを参照すると、ハンドオーバイベントが発生する前、UE115-cは、LTE基地局ネットワーク機器105-cと通信することができる。UE115-cは、LTEを介して、同じ1つまたは複数のEPCベアラによってサポートされたデータを通信することができる。上記で説明したように、EPCベアラは、EPCベアラに関する制御シグナリングおよびユーザプレーンデータが、LTE RATを使用して、UE115-cとコアネットワーク130-bとの間で通信され得るように、LTE基地局ネットワーク機器105-cのeNBの1つの要素においてセットアップされ得る。
【００５８】
次に、特に図3Bを参照すると、UE115-cとLTE基地局ネットワーク機器105-cとの間のLTEワイヤレスリンクが、LTE基地局105-cからmmW基地局140-cにハンドオーバされ得る。いくつかの例では、UE115-c、LTE基地局105-c、またはmmW基地局140-cのうちの少なくとも1つは、ハンドオーバが今にも発生しようとしているか、またはすでに発生したことを示す、ハンドオーバイベントを検出することができる。この検出されたハンドオーバイベントに基づいて、ワイヤレス通信システム300の1つまたは複数のノードのネットワークトラフィックルーティングルールが適応され得る。すなわち、UE115-c、LTE基地局105-c、またはmmW基地局140-cのうちの少なくとも1つは、UE115-cとコアネットワーク130-bとの間のEPCベアラ関連トラフィックのためのルーティングルールを更新することができる。更新されたルーティングルールは、mmWへのハンドオーバより前にLTEに関連付けられたであろうEPCベアラトラフィックをダイレクトし、それによって、ハンドオーバに続くパケットの損失およびユーザエクスペリエンスの低減を回避することができる。
【００５９】
ハンドオーバの決定は、ハンドオーバイベントが実際のハンドオーバの前または後のいずれかに識別されるとき、発生し得る。ハンドオーバイベントが、ハンドオーバが差し迫っているが、まだ発生していないことを示す例では、ネットワークトラフィックルーティングルールは、ハンドオーバ前に、EPCベアラに関するLTEトラフィックをmmWキャリアに移動させ、それによって、ハンドオーバによって引き起こされる中断を回避するように更新され得る。ハンドオーバイベントが、ハンドオーバがすでに発生したことを示す例では、ネットワークトラフィックルーティングルールは、ベアラに関するLTEトラフィックをmmWキャリアに、または新しいキャリアに移動させるように更新され得る。
【００６０】
いくつかの例では、ハンドオーバイベントは、LTE基地局105-cに送信され、LTE基地局105-cによって識別される、UE115-cからの測定報告を含み得る。測定報告は、たとえば、異なるエアインターフェースタイプ(すなわち、潜在的なハンドオーバターゲット)、この場合はmmW基地局ネットワーク機器140-cの信号強度が、LTE基地局105-cの信号強度よりも高いことを示し得る。
【００６１】
追加または代替の例では、ハンドオーバイベントは、UE115-cによって受信かつ識別されるような、LTE基地局105-cからのハンドオーバ命令を含み得る。いくつかの例では、このハンドオーバコマンドは、指定されたターゲットセル、この場合はmmW基地局ネットワーク機器140-cへのハンドオーバを開始するようにUE115-cに命令する、無線リソース制御(RRC)接続再構成メッセージを含み得る。ハンドオーバコマンドは、UE115-cによる上記で説明した測定報告の送信に応答したものであり得る。
【００６２】
いくつかの例では、ハンドオーバ要求メッセージが、第1のエアインターフェースタイプのソース基地局(たとえば、105-c)から、第2のエアインターフェースタイプのターゲット基地局(たとえば、140-c)に直接送られ得る。この図はLTE基地局からmmW基地局へのハンドオーバについて説明しているが、本開示は、mmW基地局からLTE基地局へのハンドオーバを実施するためにも適用可能であり得ることを理解されたい。そのような事例では、ソース基地局は、mmWを介して動作することができるが、ターゲット基地局は、LTE通信を介して動作することができる。次に再び図3Bを参照すると、ソース基地局からターゲット基地局に送られたメッセージは、UE115-cの加入者のポリシータイプに関する情報を含み得、そのようなポリシーに従ってハンドオーバされ得るベアラをリストし得る。
【００６３】
ハンドオーバ要求メッセージに関連付けられた情報を受信することで、異なるエアインターフェースタイプのターゲット基地局(たとえば、140-c)が、ターゲット基地局がハンドオーバ要求メッセージ内で識別されたベアラをサポートすることを検証することが可能になり得る。ターゲット基地局140-cが識別されたベアラをサポートする場合には、ターゲット基地局140-cは、ハンドオーバ要求メッセージに基づいて、ハンドオーバのためのリソースを割り振ることができる。いくつかの例では、ハンドオーバ要求メッセージは、UE115-cとのセキュアなデータ転送のために使用されるセキュリティキー材料をさらに含み得る。セキュリティキー材料は、たとえば、Kasmeと、ネクストホップパラメータとを含み得る。そのような情報によって、ターゲット基地局140-cが、成功したハンドオーバの場合に新しいキーを導出することが可能になり得る。
【００６４】
ハンドオーバ要求メッセージを受信すると、ターゲット基地局140-cは、ハンドオーバ要求肯定応答メッセージを、バックホールリンク(たとえば、X2インターフェース)を介してソース基地局に直接発行することができる。ソース基地局およびターゲット基地局は、異なるエアインターフェースタイプのものであり得る。いくつかの例では、肯定応答メッセージは、ターゲット基地局のエアインターフェースタイプに関係するサブシーケンスRRC接続再構成メッセージのための情報を含み得る。このメッセージは、ソース基地局105-cによって転送されたポリシーに従って、2つのエアインターフェース技術間でハンドオーバされ得る、無線ベアラに関係し得る。
【００６５】
ハンドオーバ要求肯定応答メッセージに応答して、ソース基地局105-cは、UE115-cに、第1のエアインターフェースタイプ上でRRC接続再構成メッセージを送ることができる。このメッセージは、ターゲット基地局140-cに転送された場合があるセキュリティキー材料への更新を含み得る。たとえば、セキュリティキー材料は、ネクストホップパラメータを含み得る。ソース基地局105-cはまた、ターゲット基地局140-cに、PDCPシーケンス番号などの現在のパケットシーケンス番号と、ソース基地局105-cからターゲット基地局140-cに渡されるべきベアラのためのすべてのバッファされたパケットとを転送することもできる。
【００６６】
RRC接続再構成メッセージに基づいて、UE115-cは、RRC接続再構成メッセージ内で指定されるように、ターゲット基地局140-cへのベアラのサブセットのためのエアインターフェース技術間ハンドオーバを実施することができ、その間に、UE115-cは、ベアラの残りのサブセットのためのソース基地局105-cとのデータ交換を継続する。いくつかの例では、UE115-cは、エアインターフェース技術間ハンドオーバを完了すると、RRC接続再構成完了メッセージをターゲット基地局140-cに発行することができる。RRC接続再構成完了メッセージを受信すると、ターゲット基地局140-cは、セキュリティキーを使用して、ハンドオーバされたベアラのために、第2のエアインターフェースタイプにおいてデータ交換を開始することができる。いくつかの例では、ターゲット基地局140-cは、バックホールリンク(たとえば、X2インターフェース)を介してソース基地局105-cから直接受信されたパケットを、UE115-cに転送することができる。
【００６７】
本開示によれば、ターゲット基地局140-cは、コアネットワーク130-b内のMMEに、パススイッチ要求メッセージを送信することができる。パススイッチメッセージは、ソース基地局105-cからターゲット基地局140-cに切り替えられる必要があり得るベアラを含み得る。追加または代替として、パススイッチメッセージはまた、ターゲット基地局のエアインターフェースタイプと加入者識別情報(ID)とを含み得る。結果として、MMEは、ベアラパススイッチが加入者のポリシーに準拠することを検証することができる。
【００６８】
いくつかの例では、ターゲット基地局140-cは、コアネットワーク130-bのMMEからパススイッチ要求肯定応答メッセージを受信することができる。パススイッチ要求肯定応答メッセージは、ネクストホップカウントなどのセキュリティパラメータへの更新を含み得る。ターゲット基地局140-cは、後続の第3の基地局への後続のハンドオーバのためのネクストホップカウントを記憶することができる。第3の基地局は、たとえば、mmW基地局またはLTE基地局であり得る。
【００６９】
本開示の1つのモードによれば、UE115-cは、少なくとも1つのエアインターフェース技術上でRLFに遭遇することがあり、したがって、UE115-cは、異なるエアインターフェース技術をサポートするターゲット基地局への順方向ハンドオーバを実施することができる。そのような事例では、UE115-cは、ターゲット基地局においてRRC接続再確立手順を実施することができる。いくつかの例では、UE115-cは、ターゲット基地局へのソース基地局105-cに関連付けられた情報を含み得る。そのような情報は、ソース基地局のセルグローバルアイデンティティ(CGI:Cell Global Identity)を含む。それに応じて、ターゲット基地局は、要求メッセージをソース基地局に送り、現在のパケットシーケンス番号(たとえば、PDCPシーケンス番号)とすべてのバッファされたパケットとを取り出して、無損失接続の継続性を保証することができる。技術間ハンドオーバが対応するベアラサブセットにおいて独立して発生し得ることを、当業者には理解されたい。たとえば、LTE対応ベアラは、LTE基地局間でハンドオーバされ得るが、mmW対応ベアラは、mmW基地局間でハンドオーバされ得る。
【００７０】
次に図3Cおよび図3Dを参照すると、第1および第2の、それぞれ、UE開始型サービス要求が、コアネットワークへの独立した接続を確立するために使用される。概して、各基地局は、S1-Cインターフェースを介してMMEに、およびS1-Uインターフェースを介してS-GWに相互接続する。UE115-cは、サービスタイプへのサービスのグループ化、ならびに、各サービスタイプのためのエアインターフェース優先度テーブルを保持するように構成される。図3Cおよび図3Dに示す例では、UEは、コアネットワークへの2つの同時接続を確立することができ、そこで、各接続は、独立したRRC無線構成を使用し、特定のサービスタイプのサービスのセットをサポートする。
【００７１】
たとえば、および特に図3Cを参照すると、305-aで、UE115-cは、あるサービスタイプのあるサービス、たとえば、サービスタイプ1のサービス1を開始することができる。310-aで、サービスを開始するとき、UE115-cは、このサービスタイプのための最も適切な(エアインターフェースおよび基地局)ペアを選択する。たとえば、UE115-cは、周囲のBS、この例では基地局105-cのエアインターフェース上でビーコン信号測定値を使用することができる。315-aで、UE115-cは、基地局105-cへのシグナリングベアラを確立し、NASサービス要求メッセージを、このサービスタイプのために選択された基地局105-cに送る。NASサービス要求メッセージは、サービスタイプの識別子、たとえば、サービスタイプIDを含み得る。
【００７２】
320-aで、基地局105-cは、サービスタイプのための承認制御を実行する。たとえば、基地局105-cは、NASサービス要求メッセージ内に含まれたサービスタイプ識別子を評価することによって、サービスタイプ固有の承認制御を適用することができる。325-aで、基地局105-cは、NASサービス要求メッセージをMME205-aに転送することができる。
【００７３】
330-aで、MME205-aは、状態を確立し、サービスタイプのためのすべてのベアラを選択することができる。たとえば、NASサービス要求メッセージを受信するMME205-aは、基地局105-cをこのサービスタイプのためのロケーションとして、サービスタイプIDとともにキャッシュすることができる。MME205-aは、このサービスタイプに属するすべてのベアラを決定し、選択することができる。335-aで、MME205-aは、初期コンテキストセットアップ要求メッセージを、そのサービスタイプのための基地局105-cに送信することができる。たとえば、メッセージは、そのサービスタイプを含むか、またはさもなければ識別し、このサービスタイプに関するベアラを含み得る。
【００７４】
340-aで、基地局105-cは、RRC接続再構成メッセージをUE115-cに送信することができる。RRC接続再構成メッセージは、基地局105-cがUE115-cとの無線構成を確立することを提供することができ、MME205-aによって示された無線ベアラ、ならびにサービスタイプIDを含み得る。RRC接続再構成メッセージは、UE115-cに、このサービスタイプのためのエアインターフェース優先度リストのものに有利に一致する測定構成を提供することができる。345-aで、UE115-cは、RRC接続再構成完了メッセージを基地局105-cに送信することによって応答することができる。350-aで、基地局105-cは、初期コンテキストセットアップ応答メッセージをMME205-aに送信する。
【００７５】
355-aで、UE115-cはまた、直接転送メッセージをそのサービスタイプのための基地局105-cに送信する。直接転送メッセージは、サービスタイプIDを含み得る。360-aで、基地局105-cは、この情報を、同じくそのサービスタイプIDを含むアタッチ完了メッセージ内で、MME205-aに転送することができる。365-aで、UE115-cは、このサービスタイプに関するサービスのためのULデータトラフィックを送るように構成される。
【００７６】
370-aで、およびアタッチ完了メッセージの受信に基づいて、MME205-aは、そのサービスタイプのサービスに関するすべてのベアラを含むベアラ修正要求メッセージを、S-GW215-aに送信することができる。S-GW215-aは、これらのベアラをアクティブ化することができ、375-aで、MME205-aに対してベアラ修正応答メッセージで返答する。380-aで、UE115-cは、このサービスタイプに関するサービスのためのDLトラフィックの受信をサポートするように構成される。
【００７７】
特に図3Dを参照すると、UE115-cは、図3Cに関して概説したものと同じ手順を実行して、第2のサービス(たとえば、サービスタイプ2)のための基地局140-cとの第2の接続を確立することができる。図3Dにおいて概説する手順は、いくつかの例では、図3Cにおいて概説した手順と並行して実行され得る。たとえば、UE115-cは、図3Dにおいて概説した手順に従い、第2のサービスタイプに関するサービスのための第2の接続を、この第2のサービスタイプに最適であり得る第2の(エアインターフェースおよび基地局)ペア、たとえば、サービスタイプ2のための基地局140-cを選択することによって、確立することができる。
【００７８】
概して、様々なシグナリングメッセージへのサービスタイプIDの挿入で、UE115-cとMME205-aとの間の異なるサービスタイプに関する並行したまたは逐次のサービス要求を提供することができる。いくつかの態様では、UE115-c、基地局105-cおよび/または140-c、ならびにMME205-aにおけるすべての状態が、(UE、サービスタイプ)ペアに対して確立され得、それによって、サービスタイプによってベアラをグループ化し、各グループをサービスタイプ固有のエアインターフェースおよび基地局に割り当てることが可能になる。UE115-cが複数のPDNコンテキストを同時にサポートする一例では、複数のPDNコンテキストに関するベアラが、同じサービスタイプの下で一緒にグループ化され得る。
【００７９】
次に図3Eを参照すると、UE115-cが、異なるサービスタイプをサポートする2つの同時接続のうちの1つのためのハンドオーバを実行する、サービスタイプ固有のハンドオーバが示されている。UE115-cは、接続の各々のための別個の無線構成で構成され、無線構成の測定構成に従って、測定を実行し、トリガイベントを評価する。
【００８０】
390で、UE115-cは、上記で説明した技法の態様を使用して、基地局105-cとのサービスタイプ1のための接続を確立している。395で、UE115-cは、基地局140-cとのサービスタイプ2のための接続を確立している。302および304で、UE115-cは、それぞれ、基地局105-cとのサービスタイプ1のための、および基地局140-cとのサービスタイプ2のための、ULおよびDLデータトラフィックを実行する。
【００８１】
UE115-cは、無線構成のためのそれぞれの測定構成に従って、306で、サービスタイプ1のための測定を実行し、308で、サービスタイプ2のための測定を実行することができる。312で、UE115-cは、トリガイベントがサービスタイプ1について発生したことを検出または識別する(たとえば、RLFイベント)。314で、UE115-cは、サービスタイプ1について基地局105-cにRRC測定報告を、たとえば、このサービスタイプのための無線構成をサポートするサービス基地局にRRC測定報告メッセージを送信することによって応答する。UE115-cは、サービスタイプIDをRRC測定報告メッセージ内に含めることができる。
【００８２】
316で、基地局105-cは、UE115-cのためのハンドオーバ決定を行うことができる。たとえば、基地局105-cは、ターゲット基地局、たとえば、ターゲット基地局385上で、ターゲットエアインターフェースへの、このサービスタイプに関するベアラのハンドオーバを実施することを決定することができる。ハンドオーバに対する決定が発生するとき、いくつかのメッセージが、異なるサービスタイプに関するベアラのハンドオーバを独立して実施するために提供するべきサービスタイプIDを含むことに加えて、X2および/またはS1ハンドオーバシグナリングメッセージが使用され得る。
【００８３】
たとえば、および318で、基地局105-cは、X2インターフェースを介して、ハンドオーバ要求メッセージをターゲット基地局385に送信することができる。ハンドオーバ要求メッセージは、サービスタイプIDを含み得、そのサービスタイプIDを、ターゲット基地局385が322で使用して、適切な承認制御を適用し、リソースを割り振り、そのサービスタイプに関する無線ベアラのための無線構成を準備することができる。
【００８４】
324(続きのシートに示される)で、ターゲット基地局385は、ハンドオーバ要求肯定応答メッセージを基地局105-cに送信することによって応答することができる。ハンドオーバ要求肯定応答メッセージは、このサービスタイプのための新しい無線構成を含み得る。326で、基地局105-cは、この情報をUE115-cにRRC接続再構成メッセージ内で転送する。RRC接続再構成メッセージは、シグナリング無線ベアラ上でUE115-cにシグナリングされ得る。UE115-cは、RRC接続再構成メッセージを使用して、データ無線ベアラを基地局105-c上で終端させ、ターゲット基地局385にアクセスする。328および332で、基地局105-cは、ターゲット基地局シリアル番号ステータス転送と、このサービスタイプに関する無線ベアラのためのキャッシュされたデータとをそれぞれ転送する。334で、UE115-cは、ターゲット基地局385にアクセスし、RRC接続再構成完了メッセージをターゲット基地局385に送信する。これで、概して、サービスタイプ固有のハンドオーバが完了し、336で、UE115-cは、ターゲット基地局385(現在、このサービスタイプのための新しいサービス基地局である)を介して、このサービスタイプのためのULデータトラフィックを送るように構成される。
【００８５】
338で、ターゲット基地局385は、パススイッチ要求メッセージをMME205-aに送信し、パススイッチ要求メッセージは、サービスタイプIDを含み得る。342で、MME205-aは、サービスタイプIDを使用して、状態と、そのサービスタイプのための無線ベアラの選択とを修正することができる。たとえば、MME205-aは、そのサービスタイプに関連付けられる無線ベアラを基地局385に選択的に切り替えることができる。そのために、および344で、MME205-aは、ベアラ修正要求をS-GW215-aに送信することができる。S-GW215-aは、ベアラを基地局385に転送するベアラ修正応答メッセージで応答することができる。MME205-aは、348で、パススイッチ要求肯定応答メッセージを基地局385に送信することができる。352で、基地局385は、UEコンテキスト解放メッセージを、そのサービスタイプのための古いサービス基地局(たとえば、基地局105-c)に送信することができる。したがって、さらに354で、UE115-cは、基地局385を介して、このサービスタイプのためのDLトラフィックのために構成される。
【００８６】
上記で説明したハンドオーバ技法中に、(たとえば、基地局140-cとの)他の接続によってサポートされるサービスは、それらのそれぞれのエアインターフェース上で、およびそれぞれの基地局を介して実行し続けることができることを理解されたい。
【００８７】
RRC無線再構成メッセージがUE115-cに到着する前に、RLFが発生するいくつかの態様では、UE115-cは、サービスタイプIDを含むRRC接続再確立メッセージを使用して、ターゲット基地局上でターゲットエアインターフェースにおいて無線構成を再確立することができる。それによって、ターゲット基地局が承認制御を実施し、必要なリソースを割り振り、このサービスタイプのためのパススイッチを実施することが提供され得る。
【００８８】
次に図3Fを参照すると、サービスタイプのためのネットワークベースの接続確立が示されており、そこで、UE115-cは、第2のサービスタイプのベアラに関するUEのためのパケットがネットワーク上に到着するとき、第1の基地局上で第1のエアインターフェースにおいて第1の接続を使用して、第1のサービスタイプに関するサービスを持続させる。E-RABがこのベアラのために存在しないので、パケットは、DLデータ通知メッセージ内でMMEに転送され得る。
【００８９】
たとえば、356で、UE115-cは、基地局105-cとのサービスタイプ1のための第1の接続を確立している場合がある。358で、UE115-cは、基地局105-cを介して、第1のサービスタイプのためのダウンリンクおよび/またはアップリンクデータトラフィックを通信することができる。362で、S-GW215-aは、第2のサービスタイプのベアラに関するUE115-cに関するダウンリンクデータを受信することができる。364で、S-GW215-aは、DLデータ通知メッセージをMME205-aに送信することができる。MME205-aは、366で、S-GW215-aへのDLデータ通知肯定応答メッセージで応答する。368で、MME205-aは、基地局105-cのためのサービスタイプ1の既存のサービスを識別することができる。たとえば、MME205-aは、パケットが第2のサービスタイプに属すると決定することができ、UE115-aが第1のサービスタイプのための接続をすでに持続させていることを識別する。したがって、MME205-aは、ページングメッセージを基地局105-cに送信することができる。374で、基地局105-cは、第1のサービスタイプのためにすでに確立されているシグナリングベアラを介して、ページングメッセージを転送する。376で、さらにページングメッセージの受信に基づいて、UE115-cは、基地局140-cとのサービスタイプ2のための第2の接続を確立することができる。たとえば、UE115-cは、そのサービスタイプのために適切である基地局上のエアインターフェースを使用して、NASサービス要求を開始することができる。したがって、および378で、UE115-cは、基地局140-cを介して、サービスタイプ2のためのアップリンクおよびダウンリンクトラフィックをサポートするように構成され得る。
【００９０】
上記の説明は、サービスタイプIDに言及するが、様々なシグナリングメッセージが、サービスの明示的リスティングを含み得ることを理解されたい。
【００９１】
その上、上記の説明は、概して基地局に言及するが、基地局はまた、コアネットワークへの個別インターフェースをもつ物理的に独立したアクセスポイントを指すこともあることを理解されたい。基地局はまた、コアネットワークへの接続性を提供する共通バックプレーンに他のセルとともに接続されたセルまたはセルのサブセットを指すこともある。基地局は、コアネットワークへのインターフェースをもつ物理的に独立したアクセスポイントに接続された無線ヘッドのうちの1つまたはサブセットをさらに指すことがある。
【００９２】
図4は、本開示の様々な態様による、サービス固有のエアインターフェース選択のために構成されたUE115-dのブロック図400を示す。UE115-dは、図1〜図3に関して説明したUE115の態様の一例であり得る。UE115-dは、受信機405、通信管理モジュール410、および/または送信機415を含み得る。UE115-dはまたプロセッサを含み得る。これらの構成要素の各々は、互いに通信していてよい。
【００９３】
UE115-dの構成要素は、個別にまたは集合的に、適用可能な機能の一部または全部をハードウェアで実行するように適応された少なくとも1つの特定用途向け集積回路(ASIC)を用いて実装され得る。代替として、機能は、少なくとも1つのIC上で、1つまたは複数の他の処理ユニット(または、コア)によって実行されてもよい。他の実施形態では、当技術分野で知られている任意の方法でプログラムされ得る、他のタイプの集積回路が使用され得る(たとえば、構造化/プラットフォームASIC、フィールドプログラマブルゲートアレイ(FPGA)、または別のセミカスタムIC)。各ユニットの機能はまた、1つまたは複数の汎用または特定用途向けプロセッサによって実行されるようにフォーマットされた、メモリにおいて具現化された命令を用いて、全体的または部分的に実装され得る。
【００９４】
受信機405は、パケット、ユーザデータ、および/または様々な情報チャネル(たとえば、制御チャネル、データチャネル、およびサービス固有のエアインターフェース選択に関する情報など)に関連付けられた制御情報などの情報を受信することができる。情報は、通信管理モジュール410に、およびUE115-dの他の構成要素に伝えられ得る。
【００９５】
通信管理モジュール410は、第1のエアインターフェースを介して第1の基地局と第1のセッションを確立し、第2のエアインターフェースを介して第2の基地局と第2のセッションを確立し、第1のエアインターフェースまたは第2のエアインターフェースを介して実行するべき第1のサービスのタイプを識別し、第1のサービスの識別されたタイプに少なくとも部分的に基づいて、第1のエアインターフェースまたは第2のエアインターフェースを選択し、選択されたエアインターフェースを介して、第1のサービスを実行することができる。
【００９６】
いくつかの態様では、通信管理モジュール410は、第1の基地局への第1のエアインターフェース上で第1のサービスのための第1の無線構成を受信し、第2の基地局への第2のエアインターフェース上で第2のサービスのための第2の無線構成を受信し、第1の無線構成に基づいて、第1のエアインターフェースを介して第1の基地局に第1の測定報告を送信することができ、第1の測定報告は、第1のエアインターフェースおよび第2のエアインターフェースのうちの少なくとも1つに関する情報を備える。
【００９７】
送信機415は、UE115-dの他の構成要素から受信された信号を送信することができる。いくつかの実施形態では、送信機415は、トランシーバモジュール内で受信機405とコロケートされ得る。送信機415は、単一のアンテナを含み得るか、または複数のアンテナを含み得る。いくつかの例では、送信機415は、その検出に少なくとも部分的に基づいて、第1の基地局および第2の基地局に測定報告を送信することができる。いくつかの例では、送信機415は、測定構成メッセージに少なくとも部分的に基づいて、第1の基地局および第2の基地局に測定報告を周期的に送信することができる。
【００９８】
図5は、本開示の様々な態様による、サービス固有のエアインターフェース選択のためのUE115-eのブロック図500を示す。UE115-eは、図1〜図4に関して説明したUE115の態様の一例であり得る。UE115-eは、受信機405-a、通信管理モジュール410-a、および/または送信機415-aを含み得る。UE115-eはまた、プロセッサを含み得る。これらの構成要素の各々は、互いに通信していてよい。通信管理モジュール410-aはまた、セッション確立モジュール505と、サービスIDモジュール510と、インターフェース選択モジュール515と、サービスモジュール520とを含み得る。
【００９９】
UE115-eの構成要素は、個別にまたは集合的に、適用可能な機能の一部または全部をハードウェアで実行するように適応された少なくとも1つのASICを用いて実装され得る。代替として、機能は、少なくとも1つのIC上で、1つまたは複数の他の処理ユニット(または、コア)によって実行されてもよい。他の実施形態では、当技術分野で知られている任意の方法でプログラムされ得る、他のタイプの集積回路が使用され得る(たとえば、構造化/プラットフォームASIC、FPGA、または別のセミカスタムIC)。各ユニットの機能はまた、1つまたは複数の汎用または特定用途向けプロセッサによって実行されるようにフォーマットされた、メモリにおいて具現化された命令を用いて、全体的または部分的に実装され得る。
【０１００】
受信機405-aは、通信管理モジュール410-aに、およびUE115-eの他の構成要素に伝えられ得る、情報を受信することができる。通信管理モジュール410-aは、図4に関して上記で説明した動作を実行することができる。送信機415-aは、UE115-eの他の構成要素から受信された信号を送信することができる。
【０１０１】
セッション確立モジュール505は、図2〜図3に関して上記で説明したように、第1のエアインターフェースを介して、第1の基地局と第1のセッションを確立することができる。セッション確立モジュール505はまた、図2〜図3に関して上記で説明したように、第2のエアインターフェースを介して、第2の基地局と第2のセッションを確立することもできる。いくつかの例では、第1のセッションおよび第2のセッションは、単一のMMEを使用して確立される。追加または代替として、第1のセッションおよび第2のセッションは、単一のSGWを使用して確立される。セッション確立モジュール505は、図2〜図3に関して上記で説明したように、第1の基地局への第1のエアインターフェース上で第1のサービスのための第1の無線構成を受信することができる。セッション確立モジュール505は、図2〜図3に関して上記で説明したように、第2の基地局への第2のエアインターフェース上で第2のサービスのための第2の無線構成を受信することができる。
【０１０２】
サービスIDモジュール510は、図2〜図3に関して上記で説明したように、第1のエアインターフェースまたは第2のエアインターフェースを介して実行するべき第1のサービスのタイプを識別することができる。サービスIDモジュール510はまた、図2〜図3に関して上記で説明したように、第1のエアインターフェースまたは第2のエアインターフェースを介して実行するべき第2のサービスのタイプを識別することもできる。
【０１０３】
インターフェース選択モジュール515は、図2〜図3に関して上記で説明したように、第1のサービスの識別されたタイプに少なくとも部分的に基づいて、第1のエアインターフェースまたは第2のエアインターフェースを選択することができる。インターフェース選択モジュール515はまた、図2〜図3に関して上記で説明したように、第2のサービスの識別されたタイプに少なくとも部分的に基づいて、第1のエアインターフェースまたは第2のエアインターフェースを選択することもできる。いくつかの例では、第1のエアインターフェースまたは第2のエアインターフェースを選択することは、第1のエアインターフェースに関連付けられた第1の優先度値と、第2のエアインターフェースに関連付けられた第2の優先度値とを備える、ベアラ固有のポリシー情報を識別すること、第1の優先度値と第2の優先度値とを比較すること、および、比較に少なくとも部分的に基づいて、第1のエアインターフェースまたは第2のエアインターフェースを選択することをさらに含む。いくつかの例では、第1のエアインターフェースは、LTEエアインターフェースであり得、第2のエアインターフェースは、ミリメートル波エアインターフェースであり得る。
【０１０４】
サービスモジュール520は、図2〜図3に関して上記で説明したように、選択されたエアインターフェースを介して、第1のサービスを実行することができる。サービスモジュール520はまた、図2〜図3に関して上記で説明したように、第2のサービスのために選択されたエアインターフェースを介して、第2のサービスを実行することもできる。いくつかの例では、第1のサービスは、第1のエアインターフェースを介して実行され得、第2のサービスは、第2のエアインターフェースを介して同時に実行され得る。
【０１０５】
いくつかの態様では、サービスモジュール520は、図2〜図3に関して上記で説明したように、第1の無線構成に基づいて、第1のエアインターフェースを介して第1の基地局に第1の測定報告を送信することができ、第1の測定報告は、第1のエアインターフェースおよび第2のエアインターフェースのうちの少なくとも1つに関する情報を含む。
【０１０６】
図6は、本開示の様々な態様による、サービス固有のエアインターフェース選択のための通信管理モジュール410-bのブロック図600を示す。通信管理モジュール410-bは、図4〜図5に関して説明した通信管理モジュール410の態様の一例であり得る。通信管理モジュール410-bは、セッション確立モジュール505-aと、サービスIDモジュール510-aと、インターフェース選択モジュール515-aと、サービスモジュール520-aとを含み得る。これらのモジュールの各々は、図5に関して上記で説明した機能を実行することができる。通信管理モジュール410-bはまた、ベアラ確立モジュール605と、インターフェース要求モジュール610と、信号測定モジュール615と、測定報告モジュール620とを含み得る。
【０１０７】
通信管理モジュール410-bの構成要素は、個別にまたは集合的に、適用可能な機能の一部または全部をハードウェアで実行するように適応された少なくとも1つのASICを用いて実装され得る。代替として、機能は、少なくとも1つのIC上で、1つまたは複数の他の処理ユニット(または、コア)によって実行されてもよい。他の実施形態では、当技術分野で知られている任意の方法でプログラムされ得る、他のタイプの集積回路が使用され得る(たとえば、構造化/プラットフォームASIC、FPGA、または別のセミカスタムIC)。各ユニットの機能はまた、1つまたは複数の汎用または特定用途向けプロセッサによって実行されるようにフォーマットされた、メモリにおいて具現化された命令を用いて、全体的または部分的に実装され得る。
【０１０８】
ベアラ確立モジュール605は、図2〜図3に関して上記で説明したように、第1のセッションまたは第2のセッションを確立することが、第1の基地局または第2の基地局のうちの少なくとも1つと無線ベアラを確立することを含み得るように、構成され得る。ベアラ確立モジュール605はまた、図2〜図3に関して上記で説明したように、第2のエアインターフェースを介して第2の基地局とデータを同時に交換しながら、第1のエアインターフェースを介して第1の基地局と無線ベアラを確立することもできる。
【０１０９】
インターフェース要求モジュール610は、図2〜図3に関して上記で説明したように、第1のセッションおよび第2のセッションを確立することが、第1の要求をMMEに送信することであって、第1の要求が第1のエアインターフェースのタイプを示す、送信すること、および、第2の要求をMMEに送信することであって、第2の要求が第2のエアインターフェースのタイプを示す、送信することをさらに含み得るように、構成され得る。いくつかの例では、第1の要求および第2の要求は、NASサービス要求である。いくつかの例では、第1の要求および第2の要求は、各々、MMEを識別するグローバル一意モビリティ管理エンティティ識別子(GUMMEI)を備える。
【０１１０】
いくつかの例では、通信管理モジュール410-bは、図2〜図3に関して上記で説明したように、測定構成メッセージを受信することができる。いくつかの例では、測定構成メッセージは、第1のエアインターフェースおよび第2のエアインターフェースのうちの少なくとも1つのための測定アルゴリズムおよびトリガ条件についての情報を備え得る。いくつかの実施形態では、測定アルゴリズムは、どのような対象物(たとえば、周波数、セル、無線アクセス技術など)を通信管理モジュール410-bが測定するべきであるか、および/または、どのように通信管理モジュール410-bが示された測定値をとるべきであるかを示し得る。いくつかの実施形態では、トリガ条件は、測定報告を送るためのトリガ条件を示し得る。一例では、トリガ条件は、RAT間ネイバーが定義されたしきい値よりもよくなるときなど、イベントベースのトリガであり得る。別の例では、トリガ条件は、時間ベースであり、周期報告を生じ得る。
【０１１１】
場合によっては、測定構成(たとえば、測定構成メッセージ内に含まれる、たとえば、測定アルゴリズムおよびトリガ条件)は、異なる基地局または異なるエアインターフェースについて同じであり得る。たとえば、同じ測定構成(たとえば、同じ測定アルゴリズムおよび/または同じトリガ条件)が、異なるエアインターフェースを測定するために使用され得る。他の場合には、測定構成は、基地局固有またはエアインターフェース固有であり(たとえば、基地局によって、またはエアインターフェースによって異なり)得る。たとえば、第1のエアインターフェースに関連付けられた第1の基地局は、第1の測定構成を有し得、第2のエアインターフェースに関連付けられた第2の基地局は、第1の測定構成とは異なる第2の測定構成を有し得る。場合によっては、測定構成における差は、異なるエアインターフェース間の差に基づき得る。
【０１１２】
信号測定モジュール615は、図2〜図3に関して上記で説明したように、受信された測定構成メッセージに基づいて、第1の基地局のための第1の信号品質測定値を計算することができる。信号測定モジュール615はまた、図2〜図3に関して上記で説明したように、受信された測定構成メッセージに基づいて、第2の基地局のための第2の信号品質測定値を計算することもできる。いくつかの例では、第1の信号品質測定値は、第2の基地局に関連付けられた第1のCQIを備え、第2の信号品質測定値は、第1の基地局に関連付けられた第2のCQIを備える。信号測定モジュール615は、受信される各測定構成に準拠し得る。したがって、信号測定モジュール615が複数の基地局固有の測定構成メッセージを受信し、各基地局固有の測定構成が測定アルゴリズムを定義する場合には、信号測定モジュール615は、異なる測定構成に関連付けられた異なる測定アルゴリズムの各々に準拠し得る。
【０１１３】
測定報告モジュール620は、図2〜図3に関して上記で説明したように、第1の信号品質測定値と第2の信号品質測定値とを備える測定報告を準備することができる。測定報告モジュール620もまた、受信される各測定構成に準拠し得る。したがって、測定報告モジュール620が複数の基地局固有の測定構成メッセージを受信し、各基地局固有の測定構成が異なるトリガ条件を定義する場合には、測定報告モジュール620は、異なる測定構成に関連付けられた異なるトリガ条件の各々に準拠し得る。
【０１１４】
いくつかの例では、通信管理モジュール410-bは、図2〜図3に関して上記で説明したように、第1のエアインターフェースおよび第2のエアインターフェースのうちの少なくとも1つのためのトリガ条件を検出することができる、トリガ検出モジュール(図示せず)を含み得る。いくつかの例では、通信管理モジュール410-bは、再構成メッセージに少なくとも部分的に基づいて、エアインターフェース間ハンドオーバを実施することができる。通信管理モジュール410-bはまた、検出されたRLFに少なくとも部分的に基づいて、エアインターフェース間ハンドオーバを実施することもでき、ここにおいて、エアインターフェース間ハンドオーバを実施することは、図2〜図3に関して上記で説明したように、第1の基地局または第2の基地局のうちの少なくとも1つに関連付けられたターゲット基地局情報を提供することを含む。
【０１１５】
図7は、本開示の様々な態様による、サービス固有のエアインターフェース選択のために構成されたUE115を含むシステム700の図を示す。システム700は、図1〜図6に関して上記で説明したUE115の一例であり得る、UE115-fを含み得る。UE115-fは、図2〜図6に関して説明した通信管理モジュール410の一例であり得る、通信管理モジュール710を含み得る。UE115-fはまた、セッションセキュリティモジュールを含み得る。UE115-fはまた、通信を送信するための構成要素と通信を受信するための構成要素とを含む、双方向音声およびデータ通信のための構成要素を含み得る。たとえば、UE115-fは、UE115、第1のエアインターフェースタイプの基地局105-d、および/または第2のエアインターフェースタイプの基地局140-dと双方向に通信することができる。いくつかの例では、UE115-fは、同時に異なるエアインターフェースタイプの第1の基地局および第2の基地局の各々と通信することができる。
【０１１６】
セッションセキュリティモジュールは、図2〜図3に関して上記で説明したように、第1のセキュリティキーを使用して第1のセッションをセキュアにすることができ、第1のセキュリティキーは、セッションキー(たとえば、Kasme)に基づいて導出される。セッションセキュリティモジュールはまた、図2〜図3に関して上記で説明したように、第2のセキュリティキーを使用して第2のセッションをセキュアにすることもでき、第2のセキュリティキーは、Kasmeに基づいて導出され、ここにおいて、第1のセキュリティキーおよび第2のセキュリティキーは異なる。
【０１１７】
UE115-fはまた、各々が、直接的または間接的に、(たとえば、バス745を介して)互いと通信することができるプロセッサモジュール705と、(ソフトウェア(SW)720を含む)メモリ715と、トランシーバモジュール735と、1つまたは複数のアンテナ740とを含み得る。トランシーバモジュール735は、上記で説明したように、アンテナ740および/またはワイヤードリンクもしくはワイヤレスリンクを介して、1つまたは複数のネットワークと双方向に通信することができる。たとえば、トランシーバモジュール735は、基地局105および/または別のUE115と双方向に通信することができる。トランシーバモジュール735は、パケットを変調し、変調されたパケットを送信のためにアンテナ740に与え、アンテナ740から受信されたパケットを復調するために、モデムを含み得る。UE115-fは、単一のアンテナ740を含み得るが、UE115-fはまた、複数のワイヤレス送信を並行して送信および/または受信することが可能な複数のアンテナ740を有し得る。
【０１１８】
メモリ715は、ランダムアクセスメモリ(RAM)と読取り専用メモリ(ROM)とを含み得る。メモリ715は、実行されたとき、本明細書で説明する様々な機能(たとえば、サービス固有のエアインターフェース選択など)をプロセッサモジュール705に実行させる命令を含む、コンピュータ可読、コンピュータ実行可能なソフトウェア/ファームウェアコード720を記憶することができる。代替的に、ソフトウェア/ファームウェアコード720は、プロセッサモジュール705によって直接実行可能ではなくてもよいが、(たとえば、コンパイルされ実行されると)本明細書で説明する機能をコンピュータに実行させることができる。プロセッサモジュール705は、インテリジェントハードウェアデバイス、たとえば、中央処理ユニット(CPU)、マイクロコントローラ、ASICなどを含み得る。
【０１１９】
図8は、本開示の様々な態様による、サービス固有のエアインターフェース選択のために構成された基地局105-eのブロック図800を示す。基地局105-eは、図1〜図7に関して説明した基地局105の態様の一例であり得る。基地局105-eは、受信機805、基地局通信管理モジュール810、および/または送信機815を含み得る。基地局105-eはまた、プロセッサを含んでよい。いくつかの例では、基地局105-eは、複数のタイプのエアインターフェースをサポートすることができる。たとえば、基地局105-eは、LTEエアインターフェースおよび/またはmmWエアインターフェースを介して通信するように構成され得る。これらの構成要素の各々は、互いに通信していてよい。
【０１２０】
基地局105-eの構成要素は、個別にまたは集合的に、適用可能な機能の一部または全部をハードウェアで実行するように適応された少なくとも1つのASICを用いて実装され得る。代替として、機能は、少なくとも1つのIC上で、1つまたは複数の他の処理ユニット(または、コア)によって実行されてもよい。他の実施形態では、当技術分野で知られている任意の方法でプログラムされ得る、他のタイプの集積回路が使用され得る(たとえば、構造化/プラットフォームASIC、FPGA、または別のセミカスタムIC)。各ユニットの機能はまた、1つまたは複数の汎用または特定用途向けプロセッサによって実行されるようにフォーマットされた、メモリにおいて具現化された命令を用いて、全体的または部分的に実装され得る。
【０１２１】
受信機805は、パケット、ユーザデータ、および/または様々な情報チャネル(たとえば、制御チャネル、データチャネル、およびサービス固有のエアインターフェース選択に関する情報など)に関連付けられた制御情報などの情報を受信することができる。情報は、基地局通信管理モジュール810に、および基地局105-eの他の構成要素に伝えられ得る。
【０１２２】
基地局通信管理モジュール810は、第1のエアインターフェースタイプのターゲット基地局において、第2のエアインターフェースタイプのソース基地局からハンドオーバ要求メッセージを受信し、ターゲット基地局がハンドオーバ要求メッセージに関連付けられた少なくとも1つのベアラをサポートするか否かを検証し、その検証に部分的に基づいて、肯定応答メッセージを送信することができる。
【０１２３】
送信機815は、基地局105-eの他の構成要素から受信された信号を送信することができる。いくつかの実施形態では、送信機815は、トランシーバモジュール内で受信機805とコロケートされ得る。送信機815は、単一のアンテナを含み得るか、または複数のアンテナを含み得る。いくつかの例では、送信機815は、その検出に少なくとも部分的に基づいて、第1の基地局および第2の基地局に測定報告を送信することができる。いくつかの例では、送信機815は、測定構成メッセージに少なくとも部分的に基づいて、第1の基地局および第2の基地局に測定報告を周期的に送信することができる。
【０１２４】
図9は、本開示の様々な態様による、サービス固有のエアインターフェース選択のための基地局105-fのブロック図900を示す。基地局105-fは、図1〜図8に関して説明した基地局105の態様の一例であり得る。基地局105-fは、受信機805-a、基地局通信管理モジュール810-a、および/または送信機815-aを含み得る。基地局105-fはまた、プロセッサを含み得る。これらの構成要素の各々は、互いに通信していてよい。基地局通信管理モジュール810-aはまた、ハンドオーバ要求モジュール905と、ベアラ検証モジュール910と、肯定応答モジュール915とを含み得る。いくつかの例では、基地局105-fは、複数のタイプのエアインターフェースをサポートすることができる。たとえば、基地局105-fは、LTEエアインターフェースおよび/またはmmWエアインターフェースを介して通信するように構成され得る。
【０１２５】
基地局105-fの構成要素は、個別にまたは集合的に、適用可能な機能の一部または全部をハードウェアで実行するように適応された少なくとも1つのASICを用いて実装され得る。代替として、機能は、少なくとも1つのIC上で、1つまたは複数の他の処理ユニット(または、コア)によって実行されてもよい。他の実施形態では、当技術分野で知られている任意の方法でプログラムされ得る、他のタイプの集積回路が使用され得る(たとえば、構造化/プラットフォームASIC、FPGA、または別のセミカスタムIC)。各ユニットの機能はまた、1つまたは複数の汎用または特定用途向けプロセッサによって実行されるようにフォーマットされた、メモリにおいて具現化された命令を用いて、全体的または部分的に実装され得る。
【０１２６】
受信機805-aは、基地局通信管理モジュール810-aに、および基地局105-fの他の構成要素に伝えられ得る、情報を受信することができる。基地局通信管理モジュール810-aは、図8に関して上記で説明した動作を実行することができる。送信機815-aは、基地局105-fの他の構成要素から受信された信号を送信することができる。
【０１２７】
ハンドオーバ要求モジュール905は、図2〜図3に関して上記で説明したように、第1のエアインターフェースタイプのターゲット基地局において、第2のエアインターフェースタイプのソース基地局からハンドオーバ要求メッセージを受信することができる。いくつかの例では、ハンドオーバ要求は、ハンドオーバのためにスケジュールされた少なくとも1つのベアラに関連付けられた情報を含む。
【０１２８】
ベアラ検証モジュール910は、図2〜図3に関して上記で説明したように、ターゲット基地局がハンドオーバ要求メッセージに関連付けられた少なくとも1つのベアラをサポートするか否かを検証することができる。
【０１２９】
肯定応答モジュール915は、図2〜図3に関して上記で説明したように、その検証に部分的に基づいて、肯定応答メッセージを送信することができる。
【０１３０】
図10は、本開示の様々な態様による、サービス固有のエアインターフェース選択のための基地局通信管理モジュール810-bのブロック図1000を示す。基地局通信管理モジュール810-bは、図8〜図9に関して説明した基地局通信管理モジュール810の態様の一例であり得る。基地局通信管理モジュール810-bは、ハンドオーバ要求モジュール905-aと、ベアラ検証モジュール910-aと、肯定応答モジュール915-aとを含み得る。これらのモジュールの各々は、図9に関して上記で説明した機能を実行することができる。基地局通信管理モジュール810-bはまた、パススイッチモジュール1005と、セキュリティパラメータモジュール1010とを含み得る。
【０１３１】
基地局通信管理モジュール810-bの構成要素は、個別にまたは集合的に、適用可能な機能の一部または全部をハードウェアで実行するように適応された少なくとも1つのASICを用いて実装され得る。代替として、機能は、少なくとも1つのIC上で、1つまたは複数の他の処理ユニット(または、コア)によって実行されてもよい。他の実施形態では、当技術分野で知られている任意の方法でプログラムされ得る、他のタイプの集積回路が使用され得る(たとえば、構造化/プラットフォームASIC、FPGA、または別のセミカスタムIC)。各ユニットの機能はまた、1つまたは複数の汎用または特定用途向けプロセッサによって実行されるようにフォーマットされた、メモリにおいて具現化された命令を用いて、全体的または部分的に実装され得る。
【０１３２】
パススイッチモジュール1005は、図2〜図3に関して上記で説明したように、パススイッチ要求メッセージをMMEに送信することができ、パススイッチ要求メッセージは、ターゲット基地局エアインターフェースタイプと、加入者識別情報とを含む。
【０１３３】
セキュリティパラメータモジュール1010は、図2〜図3に関して上記で説明したように、パススイッチ要求メッセージに応答して、セキュリティパラメータを含むパススイッチ肯定応答メッセージを受信することができる。
【０１３４】
図11は、本開示の様々な態様による、サービス固有のエアインターフェース選択のために構成された基地局105を含むシステム1100の図を示す。システム1100は、図1〜図10に関して上記で説明した基地局105の一例であり得る、基地局105-gを含み得る。基地局105-gは、図8〜図10に関して説明した基地局通信管理モジュール810の一例であり得る、基地局通信管理モジュール1110を含み得る。基地局105-gはまた、セッションセキュリティモジュールを含み得る。基地局105-gはまた、通信を送信するための構成要素と通信を受信するための構成要素とを含む、双方向音声およびデータ通信のための構成要素を含み得る。たとえば、基地局105-gは、第1のエアインターフェースタイプの基地局105-h、および/または第2のエアインターフェースタイプの基地局140-dと双方向に通信することができる。
【０１３５】
セッションセキュリティモジュールは、図2〜図3に関して上記で説明したように、第1のセキュリティキーを使用して第1のセッションをセキュアにすることができ、第1のセキュリティキーは、セッションキー(たとえば、Kasme)に基づいて導出される。セッションセキュリティモジュールはまた、図2〜図3に関して上記で説明したように、第2のセキュリティキーを使用して第2のセッションをセキュアにすることもでき、第2のセキュリティキーは、Kasmeに基づいて導出され、ここにおいて、第1のセキュリティキーおよび第2のセキュリティキーは異なる。
【０１３６】
場合によっては、基地局105-gは、1つまたは複数のワイヤードバックホールリンクを有し得る。基地局105-gは、コアネットワーク130へのワイヤードバックホールリンク(たとえば、S1インターフェースなど)を有し得る。基地局105-gはまた、基地局間バックホールリンク(たとえば、X2インターフェース)を介して、基地局105-mおよび基地局105-nなど、他の基地局105と通信することもできる。基地局105の各々は、同じまたは異なるワイヤレス通信技術を使用して、UE115と通信することができる。場合によっては、基地局105-gは、基地局通信管理モジュール1110を利用して、105-mおよび/または105-nなどの他の基地局と通信することができる。いくつかの実施形態では、基地局通信管理モジュール1110は、基地局105のうちのいくつかの間の通信を行うために、LTE/LTE-Aワイヤレス通信ネットワーク技術内のX2インターフェースを提供することができる。いくつかの実施形態では、基地局105-gは、コアネットワーク130を通して他の基地局と通信することができる。場合によっては、基地局105-gは、ネットワーク通信モジュール1135を通してコアネットワーク130と通信することができる。
【０１３７】
基地局105-gは、各々が、直接的または間接的に、(たとえば、バスシステム1145を介して)互いと通信することができるプロセッサモジュール1105と、(ソフトウェア(SW)1120を含む)メモリ1115と、トランシーバモジュール1130と、アンテナ1140とを含み得る。トランシーバモジュール1130は、アンテナ1140を介して、マルチモードデバイスであり得るUE115と双方向に通信するように構成され得る。トランシーバモジュール1130(および/または基地局105-gの他の構成要素)はまた、アンテナ1140を介して、1つまたは複数の他の基地局(図示せず)と双方向に通信するように構成され得る。トランシーバモジュール1130は、パケットを変調し、変調されたパケットを送信のためにアンテナ1140に与え、アンテナ1140から受信されたパケットを復調するように構成された、モデムを含み得る。基地局105-gは、各々が1つまたは複数の関連付けられたアンテナ1140をもつ、複数のトランシーバモジュール1130を含み得る。トランシーバモジュールは、図8の組み合わされた受信機805および送信機815の一例であり得る。
【０１３８】
メモリ1115は、RAMとROMとを含み得る。メモリ1115はまた、実行されたとき、本明細書で説明する様々な機能(たとえば、サービス固有のエアインターフェース選択、カバレージ拡張技法の選択、呼処理、データベース管理、メッセージルーティングなど)をプロセッサモジュール1105に実行させるように構成される命令を含む、コンピュータ可読、コンピュータ実行可能なソフトウェアコード1120を記憶することもできる。代替的に、ソフトウェア1120は、プロセッサモジュール1105によって直接実行可能ではなくてもよいが、たとえばコンパイルされ実行されるときに、本明細書で説明する機能をコンピュータに実行させるように構成されてもよい。プロセッサモジュール1105は、インテリジェントハードウェアデバイス、たとえば、CPU、マイクロコントローラ、ASICなどを含み得る。プロセッサモジュール1105は、エンコーダ、待ち行列処理モジュール、ベースバンドプロセッサ、無線ヘッドコントローラ、デジタル信号プロセッサ(DSP)など、様々な専用プロセッサを含み得る。
【０１３９】
基地局通信モジュール1125は、他の基地局105との通信を管理することができる。基地局通信モジュール1125は、他の基地局105と協働して、UE115との通信を制御するためのコントローラおよび/またはスケジューラを含み得る。たとえば、基地局通信モジュール1125は、ビームフォーミングおよび/またはジョイント送信など、様々な干渉低減技法のために、UE115への送信のためのスケジューリングを協調させることができる。
【０１４０】
図12は、本開示の様々な態様による、サービス固有のエアインターフェース選択のための方法1200を示すフローチャートを示す。方法1200の動作は、図1〜図11に関して説明したように、UE115またはその構成要素によって実施され得る。たとえば、方法1200の動作は、図4〜図11に関して説明したように、通信管理モジュール410によって実行され得る。いくつかの例では、UE115は、以下で説明する機能を実行するためにUE115の機能要素を制御するためにコードのセットを実行することができる。追加または代替として、UE115は、専用ハードウェアを使用して、以下で説明する機能の態様を実行することができる。
【０１４１】
ブロック1205で、UE115は、図2〜図3に関して上記で説明したように、第1のエアインターフェースを介して、第1の基地局と第1のセッションを確立することができる。いくつかの例では、ブロック1205の動作は、図5に関して上記で説明したように、セッション確立モジュール505によって実行され得る。
【０１４２】
ブロック1210で、UE115は、図2〜図3に関して上記で説明したように、第2のエアインターフェースを介して、第2の基地局と第2のセッションを確立することができる。いくつかの例では、ブロック1210の動作は、図5に関して上記で説明したように、セッション確立モジュール505によって実行され得る。
【０１４３】
ブロック1215で、UE115は、図2〜図3に関して上記で説明したように、第1のエアインターフェースまたは第2のエアインターフェースを介して実行するべき第1のサービスのタイプを識別することができる。いくつかの例では、ブロック1215の動作は、図5に関して上記で説明したように、サービスIDモジュール510によって実行され得る。
【０１４４】
ブロック1220で、UE115は、図2〜図3に関して上記で説明したように、第1のサービスの識別されたタイプに少なくとも部分的に基づいて、第1のエアインターフェースまたは第2のエアインターフェースを選択することができる。いくつかの例では、ブロック1220の動作は、図5に関して上記で説明したように、インターフェース選択モジュール515によって実行され得る。
【０１４５】
ブロック1225で、UE115は、図2〜図3に関して上記で説明したように、選択されたエアインターフェースを介して、第1のサービスを実行することができる。いくつかの例では、ブロック1225の動作は、図5に関して上記で説明したように、サービスモジュール520によって実行され得る。
【０１４６】
図13は、本開示の様々な態様による、サービス固有のエアインターフェース選択のための方法1300を示すフローチャートを示す。方法1300の動作は、図1〜図11に関して説明したように、UE115またはその構成要素によって実施され得る。たとえば、方法1300の動作は、図4〜図11に関して説明したように、通信管理モジュール410によって実行され得る。いくつかの例では、UE115は、以下で説明する機能を実行するためにUE115の機能要素を制御するためにコードのセットを実行することができる。追加または代替として、UE115は、専用ハードウェアを使用して、以下で説明する機能の態様を実行することができる。方法1300はまた、図12の方法1200の態様を組み込むこともできる。
【０１４７】
ブロック1305で、UE115は、図2〜図3に関して上記で説明したように、第1のエアインターフェースを介して、第1の基地局と第1のセッションを確立することができる。いくつかの例では、ブロック1305の動作は、図5に関して上記で説明したように、セッション確立モジュール505によって実行され得る。
【０１４８】
ブロック1310で、UE115は、図2〜図3に関して上記で説明したように、第2のエアインターフェースを介して、第2の基地局と第2のセッションを確立することができる。いくつかの例では、ブロック1310の動作は、図5に関して上記で説明したように、セッション確立モジュール505によって実行され得る。
【０１４９】
ブロック1315で、UE115は、図2〜図3に関して上記で説明したように、第1のエアインターフェースまたは第2のエアインターフェースを介して実行するべき第1のサービスのタイプを識別することができる。いくつかの例では、ブロック1315の動作は、図5に関して上記で説明したように、サービスIDモジュール510によって実行され得る。
【０１５０】
ブロック1320で、UE115は、図2〜図3に関して上記で説明したように、第1のサービスの識別されたタイプに少なくとも部分的に基づいて、第1のエアインターフェースまたは第2のエアインターフェースを選択することができる。いくつかの例では、ブロック1320の動作は、図5に関して上記で説明したように、インターフェース選択モジュール515によって実行され得る。
【０１５１】
ブロック1325で、UE115は、図2〜図3に関して上記で説明したように、選択されたエアインターフェースを介して、第1のサービスを実行することができる。いくつかの例では、ブロック1325の動作は、図5に関して上記で説明したように、サービスモジュール520によって実行され得る。
【０１５２】
ブロック1330で、UE115は、図2〜図3に関して上記で説明したように、第1のエアインターフェースまたは第2のエアインターフェースを介して実行するべき第2のサービスのタイプを識別することができる。いくつかの例では、ブロック1330の動作は、図5に関して上記で説明したように、サービスIDモジュール510によって実行され得る。
【０１５３】
ブロック1335で、UE115は、図2〜図3に関して上記で説明したように、第2のサービスの識別されたタイプに少なくとも部分的に基づいて、第1のエアインターフェースまたは第2のエアインターフェースを選択することができる。いくつかの例では、ブロック1335の動作は、図5に関して上記で説明したように、インターフェース選択モジュール515によって実行され得る。
【０１５４】
ブロック1340で、UE115は、図2〜図3に関して上記で説明したように、第2のサービスのために選択されたエアインターフェースを介して、第2のサービスを実行することができる。いくつかの例では、ブロック1340の動作は、図5に関して上記で説明したように、サービスモジュール520によって実行され得る。
【０１５５】
図14は、本開示の様々な態様による、サービス固有のエアインターフェース選択のための方法1400を示すフローチャートを示す。方法1400の動作は、図1〜図11に関して説明したように、基地局105またはその構成要素によって実施され得る。たとえば、方法1400の動作は、図4〜図11に関して説明したように、基地局通信管理モジュール810によって実行され得る。いくつかの例では、基地局105は、以下で説明する機能を実行するために基地局105の機能要素を制御するためにコードのセットを実行することができる。追加または代替として、基地局105は、専用ハードウェアを使用して、以下で説明する機能の態様を実行することができる。方法1400はまた、図12〜図13の方法1200および1300の態様を組み込むこともできる。
【０１５６】
ブロック1405で、基地局105は、図2〜図3に関して上記で説明したように、第1のエアインターフェースタイプのターゲット基地局において、第2のエアインターフェースタイプのソース基地局からハンドオーバ要求メッセージを受信することができる。いくつかの例では、ブロック1405の動作は、図9に関して上記で説明したように、ハンドオーバ要求モジュール905によって実行され得る。
【０１５７】
ブロック1410で、基地局105は、図2〜図3に関して上記で説明したように、ターゲット基地局がハンドオーバ要求メッセージに関連付けられた少なくとも1つのベアラをサポートするか否かを検証することができる。いくつかの例では、ブロック1410の動作は、図9に関して上記で説明したように、ベアラ検証モジュール910によって実行され得る。
【０１５８】
ブロック1415で、基地局105は、図2〜図3に関して上記で説明したように、その検証に部分的に基づいて、肯定応答メッセージを送信することができる。いくつかの例では、ブロック1415の動作は、図9に関して上記で説明したように、肯定応答モジュール915によって実行され得る。
【０１５９】
図15は、本開示の様々な態様による、サービス固有のエアインターフェース選択のための方法1500を示すフローチャートを示す。方法1500の動作は、図1〜図11に関して説明したように、基地局105またはその構成要素によって実施され得る。たとえば、方法1500の動作は、図4〜図11に関して説明したように、基地局通信管理モジュール810によって実行され得る。いくつかの例では、基地局105は、以下で説明する機能を実行するために基地局105の機能要素を制御するためにコードのセットを実行することができる。追加または代替として、基地局105は、専用ハードウェアを使用して、以下で説明する機能の態様を実行することができる。方法1500はまた、図12〜図14の方法1200、1300、および1400の態様を組み込むこともできる。
【０１６０】
ブロック1505で、基地局105は、図2〜図3に関して上記で説明したように、第1のエアインターフェースタイプのターゲット基地局において、第2のエアインターフェースタイプのソース基地局からハンドオーバ要求メッセージを受信することができる。いくつかの例では、ブロック1505の動作は、図9に関して上記で説明したように、ハンドオーバ要求モジュール905によって実行され得る。
【０１６１】
ブロック1510で、基地局105は、図2〜図3に関して上記で説明したように、ターゲット基地局がハンドオーバ要求メッセージに関連付けられた少なくとも1つのベアラをサポートするか否かを検証することができる。いくつかの例では、ブロック1510の動作は、図9に関して上記で説明したように、ベアラ検証モジュール910によって実行され得る。
【０１６２】
ブロック1515で、基地局105は、図2〜図3に関して上記で説明したように、その検証に部分的に基づいて、肯定応答メッセージを送信することができる。いくつかの例では、ブロック1515の動作は、図9に関して上記で説明したように、肯定応答モジュール915によって実行され得る。
【０１６３】
ブロック1520で、基地局105は、図2〜図3に関して上記で説明したように、パススイッチ要求メッセージをMMEに送信することができ、パススイッチ要求メッセージは、ターゲット基地局エアインターフェースタイプと、加入者識別情報とを備える。いくつかの例では、ブロック1520の動作は、図10に関して上記で説明したように、パススイッチモジュール1005によって実行され得る。
【０１６４】
ブロック1525で、基地局105は、図2〜図3に関して上記で説明したように、パススイッチ要求メッセージに応答して、セキュリティパラメータを含むパススイッチ肯定応答メッセージを受信することができる。いくつかの例では、ブロック1525の動作は、図10に関して上記で説明したように、セキュリティパラメータモジュール1010によって実行され得る。
【０１６５】
したがって、方法1200、1300、1400、および1500は、サービス固有のエアインターフェース選択を提供することができる。方法1200、1300、1400、および1500は、可能な実装形態について説明しており、動作およびステップは、他の実装形態が可能であるように再配置、またはさもなければ修正され得ることに留意されたい。いくつかの例では、方法1200、1300、1400、および1500のうちの2つ以上からの態様が組み合わされてよい。
【０１６６】
図16は、本開示の様々な態様による、同時マルチエアインターフェース動作のための測定構成と測定報告とを協調させるための方法1600を示すフローチャートを示す。方法1600の動作は、図1〜図7に関して説明したように、UE115またはその構成要素によって実施され得る。たとえば、方法1600の動作は、図4〜図7に関して説明したように、通信管理モジュール410によって実行され得る。いくつかの例では、UE115は、以下で説明する機能を実行するためにUE115の機能要素を制御するためにコードのセットを実行することができる。追加または代替として、UE115は、専用ハードウェアを使用して、以下で説明する機能の態様を実行することができる。
【０１６７】
ブロック1605で、UE115は、図2〜図3に関して上記で説明したように、第1のエアインターフェースを介して、第1の基地局と第1のセッションを確立することができる。いくつかの例では、ブロック1605の動作は、図5に関して上記で説明したように、セッション確立モジュール505によって実行され得る。
【０１６８】
ブロック1610で、UE115は、図2〜図3に関して上記で説明したように、第2のエアインターフェースを介して、第2の基地局と第2のセッションを確立することができる。いくつかの例では、ブロック1610の動作は、図5に関して上記で説明したように、セッション確立モジュール505によって実行され得る。
【０１６９】
ブロック1615で、UE115は、図6に関して上記で説明したように、第1の基地局から第1の測定構成メッセージを受信することができる。いくつかの例では、ブロック1615の動作は、図4〜図6に関して上記で説明したように、通信管理モジュール410によって実行され得る。
【０１７０】
ブロック1620で、UE115は、第1の測定構成に基づいて、第1のエアインターフェースを介して第1の基地局に第1の測定報告を送信することができる。第1の測定報告は、図6に関して上記で説明したように、第2のエアインターフェースに関する情報を含み得る。いくつかの例では、ブロック1620の動作は、図6に関して上記で説明したように、測定報告モジュール620によって実行され得る。
【０１７１】
図17は、本開示の様々な態様による、同時マルチエアインターフェース動作のための測定構成と測定報告とを協調させるための方法1700を示すフローチャートを示す。方法1700の動作は、図1〜図7に関して説明したように、UE115またはその構成要素によって実施され得る。たとえば、方法1700の動作は、図4〜図7に関して説明したように、通信管理モジュール410によって実行され得る。いくつかの例では、UE115は、以下で説明する機能を実行するためにUE115の機能要素を制御するためにコードのセットを実行することができる。追加または代替として、UE115は、専用ハードウェアを使用して、以下で説明する機能の態様を実行することができる。
【０１７２】
ブロック1705で、UE115は、図2〜図3に関して上記で説明したように、第1のエアインターフェースを介して、第1の基地局と第1のセッションを確立することができる。いくつかの例では、ブロック1705の動作は、図5に関して上記で説明したように、セッション確立モジュール505によって実行され得る。
【０１７３】
ブロック1710で、UE115は、図2〜図3に関して上記で説明したように、第2のエアインターフェースを介して、第2の基地局と第2のセッションを確立することができる。いくつかの例では、ブロック1710の動作は、図5に関して上記で説明したように、セッション確立モジュール505によって実行され得る。
【０１７４】
ブロック1715で、UE115は、図6に関して上記で説明したように、第1の基地局から第1の測定構成メッセージを受信することができる。第1の測定構成メッセージは、第1のエアインターフェースに関連付けられ得る。いくつかの例では、ブロック1715の動作は、図4〜図6に関して上記で説明したように、通信管理モジュール410によって実行され得る。
【０１７５】
ブロック1720で、UE115は、図6に関して上記で説明したように、第1の測定構成メッセージ内に示された第1の測定アルゴリズムおよび第1のトリガ条件に準拠し得る。いくつかの例では、ブロック1720の動作は、図6に関して上記で説明したように、信号測定モジュール615によって実行され得る。
【０１７６】
ブロック1725で、UE115は、第1の測定構成に基づいて、第1のエアインターフェースを介して第1の基地局に第1の測定報告を送信することができる。第1の測定報告は、図6に関して上記で説明したように、第2のエアインターフェースに関する情報を含み得る。いくつかの例では、ブロック1725の動作は、図6に関して上記で説明したように、測定報告モジュール620によって実行され得る。
【０１７７】
ブロック1730で、UE115は、図6に関して上記で説明したように、第2の基地局から第2の測定構成メッセージを受信することができる。第2の測定構成メッセージは、第2のエアインターフェースに関連付けられ得る。いくつかの例では、ブロック1730の動作は、図4〜図6に関して上記で説明したように、通信管理モジュール410によって実行され得る。
【０１７８】
ブロック1735で、UE115は、図6に関して上記で説明したように、第2の測定構成メッセージ内に示された第2の測定アルゴリズムおよび第2のトリガ条件に準拠し得る。いくつかの例では、ブロック1735の動作は、図6に関して上記で説明したように、信号測定モジュール615によって実行され得る。
【０１７９】
ブロック1740で、UE115は、第2の測定構成に基づいて、第2のエアインターフェースを介して第2の基地局に第2の測定報告を送信することができる。第2の測定報告は、図6に関して上記で説明したように、第1のエアインターフェースに関する情報を含み得る。いくつかの例では、ブロック1740の動作は、図6に関して上記で説明したように、測定報告モジュール620によって実行され得る。
【０１８０】
図18は、本開示の様々な態様による、サービス固有のエアインターフェース選択のための方法1800を示すフローチャートを示す。方法1800の動作は、図1〜図11に関して説明したように、UE115またはその構成要素によって実施され得る。たとえば、方法1800の動作は、図4〜図11に関して説明したように、通信管理モジュール410によって実行され得る。いくつかの例では、UE115は、以下で説明する機能を実行するためにUE115の機能要素を制御するためにコードのセットを実行することができる。追加または代替として、UE115は、専用ハードウェアを使用して、以下で説明する機能の態様を実行することができる。
【０１８１】
ブロック1805で、UE115は、図2〜図3に関して上記で説明したように、第1の基地局への第1のエアインターフェース上で第1のサービスのための第1の無線構成を受信することができる。いくつかの例では、ブロック1805の動作は、図5に関して上記で説明したように、セッション確立モジュール505によって実行され得る。
【０１８２】
ブロック1810で、UE115は、図2〜図3に関して上記で説明したように、第2の基地局への第2のエアインターフェース上で第2のサービスのための第2の無線構成を受信することができる。いくつかの例では、ブロック1810の動作は、図5に関して上記で説明したように、セッション確立モジュール505によって実行され得る。
【０１８３】
ブロック1815で、UE115は、図2〜図3に関して上記で説明したように、第1の無線構成に基づいて、第1のエアインターフェースを介して第1の基地局に第1の測定報告を送信することができ、第1の測定報告は、第1のエアインターフェースおよび第2のエアインターフェースのうちの少なくとも1つに関する情報を備える。いくつかの例では、ブロック1815の動作は、図5に関して上記で説明したように、サービスモジュール520によって実行され得る。
【０１８４】
したがって、方法1600、1700、および1800は、同時マルチエアインターフェース動作のための測定構成と測定報告との協調を提供することができる。たとえば、マルチエアインターフェース動作において、サービス固有のエアインターフェース選択が実施され得る。方法1600〜1800は、可能な実装形態について説明しており、動作およびステップは、他の実装形態が可能であるように再配置、またはさもなければ修正され得ることに留意されたい。いくつかの例では、方法1200、1300、1400、1500、1600、1700、および1800のうちの2つ以上からの態様が組み合わされてよい。
【０１８５】
添付の図面に関して上記に記載した発明を実施するための形態は、例示的な実施形態について説明するものであり、実装され得る、または特許請求の範囲内にあるすべての実施形態を表すものではない。本明細書全体にわたって使用される「例示的」という用語は、「例、事例、または例示として役立つ」ことを意味し、「好ましい」または「他の実施形態よりも有利な」を意味するものではない。発明を実施するための形態は、説明した技法の理解を与える目的で、具体的な詳細を含む。しかしながら、これらの技法は、これらの具体的な詳細を伴わずに実践され得る。いくつかの事例では、説明した実施形態の概念を曖昧にするのを回避するために、よく知られている構造およびデバイスはブロック図の形態で示されている。
【０１８６】
様々な異なる技術および技法のいずれかを使用して、情報および信号が表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１８７】
本明細書の開示に関して説明した様々な例示的なブロックおよびモジュールは、汎用プロセッサ、DSP、ASIC、FPGAもしくは他のプログラマブル論理デバイス、個別ゲートもしくはトランジスタ論理、個別ハードウェア構成要素、または本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または任意の他のそのような構成)として実装され得る。
【０１８８】
本明細書で説明する機能は、ハードウェア、プロセッサによって実行されるソフトウェア、ファームウェア、またはそれらの任意の組合せにおいて実装され得る。プロセッサによって実行されるソフトウェアにおいて実装された場合、機能は、1つまたは複数の命令またはコードとしてコンピュータ可読媒体上に記憶されるか、またはコンピュータ可読媒体を介して送信され得る。他の例および実装形態は、本開示および添付の特許請求の範囲の範囲内にある。たとえば、ソフトウェアの性質により、上で説明した機能は、プロセッサによって実行されるソフトウェア、ハードウェア、ファームウェア、ハードワイヤリング、またはこれらのいずれかの組合せを使用して実装され得る。機能を実装する特徴はまた、機能の部分が異なる物理的ロケーションにおいて実装されるように分散されることを含めて、様々な位置に物理的に位置していてもよい。また、特許請求の範囲内を含み、本明細書で使用される場合、項目のリスト(たとえば、「のうちの少なくとも1つ」または「のうちの1つまたは複数」などの句で始まる項目のリスト)内で使用される「または」は、たとえば、[A、B、またはCのうちの少なくとも1つ]というリストがAまたはBまたはCまたはABまたはACまたはBCまたはABC(すなわち、AおよびBおよびC)を意味するような、選言的リストを示す。
【０１８９】
コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用コンピュータまたは専用コンピュータによってアクセスされ得る任意の利用可能な媒体であってよい。限定ではなく例として、コンピュータ可読媒体は、RAM、ROM、電気的消去可能プログラマブル読取り専用メモリ(EEPROM)、コンパクトディスク(CD)ROMもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用コンピュータもしくは専用コンピュータまたは汎用プロセッサもしくは専用プロセッサによってアクセスされ得る任意の他の媒体を含み得る。また、いかなる接続も適切にコンピュータ可読媒体と呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用してウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピー(登録商標)ディスク(disk)およびBlu-ray(登録商標)ディスク(disc)を含み、ディスク(disk)は通常、データを磁気的に再生し、ディスク(disc)はレーザーを用いてデータを光学的に再生する。上記の組合せもコンピュータ可読媒体の範囲内に含まれる。
【０１９０】
本開示の前述の説明は、当業者が本開示を作製または使用することを可能にするために提供される。本開示への様々な修正は当業者には容易に明らかになり、本明細書で定義する一般原理は、本開示の範囲から逸脱することなく他の変形形態に適用され得る。したがって、本開示は、本明細書で説明した例および設計に限定されず、本明細書で開示した原理および新規な特徴と一致する最も広い範囲を与えられるべきである。
【０１９１】
本明細書で説明した技法は、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および他のシステムなどの様々なワイヤレス通信システムに使用され得る。「システム」および「ネットワーク」という用語は、しばしば互換的に使用される。CDMAシステムは、CDMA2000、ユニバーサル地上波無線アクセス(UTRA)などの無線技術を実装し得る。CDMA2000は、IS-2000規格と、IS-95規格と、IS-856規格とをカバーする。IS-2000リリース0およびAは、一般に、CDMA2000 1X、1Xなどと呼ばれる。IS-856(TIA-856)は、一般に、CDMA2000 1xEV-DO、高速パケットデータ(HRPD)などと呼ばれる。UTRAは、広帯域CDMA(WCDMA(登録商標))およびCDMAの他の変形態を含む。TDMAシステムは、モバイル通信用グローバルシステム(GSM(登録商標))などの無線技術を実装し得る。OFDMAシステムは、ウルトラモバイルブロードバンド(UMB)、発展型UTRA(E-UTRA)、IEEE802.11(Wi-Fi)、IEEE802.16(WiMAX)、IEEE802.20、Flash-OFDMなどの無線技術を実装し得る。UTRAおよびE-UTRAは、ユニバーサルモバイルテレコミュニケーションシステム(UMTS)の一部である。3GPPロングタームエボリューション(LTE)およびLTEアドバンスト(LTE-A)は、E-UTRAを使用するユニバーサルモバイルテレコミュニケーションシステム(UMTS)の新しいリリースである。UTRA、E-UTRA、UMTS、LTE、LTE-A、およびモバイル通信用グローバルシステム(GSM(登録商標))は、「第3世代パートナーシッププロジェクト」(3GPP)という名称の組織からの文書に記載されている。CDMA2000およびUMBは、「第3世代パートナーシッププロジェクト2」(3GPP2)という名称の組織からの文書に記載されている。本明細書で説明した技法は、上述のシステムおよび無線技術、ならびに他のシステムおよび無線技術に使用され得る。ただし、上の説明
では、例としてLTEシステムについて説明し、上の説明の大部分においてLTE用語が使用されるが、本技法はLTE適用例以外に適用可能である。
【符号の説明】
【０１９２】
100  ワイヤレス通信システム、システム
105  基地局ネットワーク機器、基地局、サービング基地局、ターゲット基地局、ソース基地局、近隣基地局
105-a  第1の基地局ネットワーク機器
105-b  LTE基地局ネットワーク機器、LTE基地局、eNB、基地局、第1の基地局
105-c  LTE基地局、LTE基地局ネットワーク機器、ソース基地局、基地局
105-d、105-e、105-f、105-g、105-h、105-m、105-n  基地局
110  地理的カバレージエリア
115  通信ユーザ機器、UE
115-a、115-b、115-c、115-d、115-e、115-f  UE
125  通信リンク
130、130-b  コアネットワーク
130-a  発展型パケットコア、EPC
132、134  バックホールリンク
140  基地局ネットワーク機器、基地局、mmW基地局ネットワーク機器
140-a  第2の基地局ネットワーク機器
140-b  mmW基地局ネットワーク機器、mmW基地局、基地局、第2の基地局
140-c  mmW基地局ネットワーク機器、mmW基地局、ターゲット基地局、基地局
140-d  基地局
200  ワイヤレス通信システム
205  モビリティ管理エンティティ、MME
205-a  MME
210  ホーム加入者サーバ、HSS
215  サービングゲートウェイ、SGW
215-a  S-GW
220  パケットデータネットワーク(PDN)ゲートウェイ、PDN-GW
245  IPネットワーク
300  ワイヤレス通信システム、サービス固有のエアインターフェース選択
385  ターゲット基地局、基地局
405、405-a、805、805-a  受信機
410、410-a、410-b、710  通信管理モジュール
415、415-a、815、815-a  送信機
505、505-a  セッション確立モジュール
510、510-a  サービスIDモジュール
515、515-a  インターフェース選択モジュール
520、520-a  サービスモジュール
605  ベアラ確立モジュール
610  インターフェース要求モジュール
615  信号測定モジュール
620  測定報告モジュール
700、1100  システム
705、1105  プロセッサモジュール
715、1115  メモリ
720  ソフトウェア(SW)、ソフトウェア/ファームウェアコード
725  セッションセキュリティモジュール
735、1130  トランシーバモジュール
740、1140  アンテナ
745、1145  バス
810、810-a、810-b、1110  基地局通信管理モジュール
905、905-a  ハンドオーバ要求モジュール
910、910-a  ベアラ検証モジュール
915、915-a  肯定応答モジュール
1005  パススイッチモジュール
1010  セキュリティパラメータモジュール
1120  ソフトウェア(SW)、ソフトウェアコード
1125  基地局通信モジュール
1135  ネットワーク通信モジュール
【図１】
0006474891.tif 000002
【図２】
0006474891.tif 000003
【図３Ａ】
0006474891.tif 000004
【図３Ｂ】
0006474891.tif 000005
【図３Ｃ】
0006474891.tif 000006
【図３Ｄ】
0006474891.tif 000007
【図３Ｅ−１】
0006474891.tif 000008
【図３Ｅ−２】
0006474891.tif 000009
【図３Ｆ】
0006474891.tif 000010
【図４】
0006474891.tif 000011
【図５】
0006474891.tif 000012
【図６】
0006474891.tif 000013
【図７】
0006474891.tif 000014
【図８】
0006474891.tif 000015
【図９】
0006474891.tif 000016
【図１０】
0006474891.tif 000017
【図１１】
0006474891.tif 000018
【図１２】
0006474891.tif 000019
【図１３】
0006474891.tif 000020
【図１４】
0006474891.tif 000021
【図１５】
0006474891.tif 000022
【図１６】
0006474891.tif 000023
【図１７】
0006474891.tif 000024
【図１８】
0006474891.tif 000025